(57)【特許請求の範囲】
【請求項１】
空調機を制御する空調制御システムにおける端末装置の制御方法であって、
前記空調機は、前記空調機が設置された部屋の室内温度を、前記空調機の設定温度に到達させるための複数の動作モードを有し、
前記空調機の状態が停止中の場合、
前記端末装置のコンピュータに対して、
前記空調機の状態が停止中から運転中に切り替わってから前記部屋の室内温度が前記設定温度に到達するまでの時間を示す時間情報、及び前記空調機の状態が停止中から運転中に切り替わってから前記部屋の室内温度が前記設定温度に到達するまでの前記空調機の消費電力量に対応する電気料金を示す第１の料金情報を、前記複数の動作モード毎に取得させ、
前記複数の動作モードそれぞれに対応する運転ボタンを表示する際に、前記複数の動作モードそれぞれに対応する前記時間情報及び前記第１の料金情報を、各動作モードに対応する運転ボタンと関連付けて表示させ、
前記複数の動作モードのうち一の動作モードに対応する運転ボタンの選択を検知すると、前記空調機を前記一の動作モードで運転する制御を行う制御コマンドを前記空調機に送信させ、
前記空調機が一の動作モードで運転中の場合、前記運転中の動作モードに対応する運転ボタンの表示を消去させ、
前記運転中の動作モードに対応する前記時間情報及び前記第１の料金情報を、前記運転中の動作モードに対応する運転ボタンが表示されていた領域と同一領域に表示させ、
前記運転中の動作モード以外の動作モードに対応する前記時間情報及び前記第１の料金情報を、各動作モードに対応する運転ボタンの枠内に表示させる、
制御方法。
【請求項２】
前記複数の動作モードそれぞれに対応する運転ボタンを表示する際に、前記複数の動作モードそれぞれに対応する前記時間情報及び前記第１の料金情報を、各動作モードに対応する運転ボタンの枠内に表示させる、
請求項１に記載の制御方法。
【請求項３】
前記空調機の設定温度を変更する設定温度変更ボタンを表示させ、
前記運転ボタンの選択前に、前記空調機が停止中の状態で前記空調機の設定温度を変更する設定温度変更ボタンの選択を検知すると、
変更後の前記空調機の設定温度に対応する前記時間情報及び前記第１の料金情報を新たに取得させ、
表示されている前記複数の動作モードそれぞれに対応する前記時間情報及び前記第１の料金情報を、新たに取得したものに更新させる、
請求項１又は２に記載の制御方法。
【請求項４】
前記空調機の設定温度を変更する設定温度変更ボタンを表示させ、
前記運転ボタンの選択後に、前記空調機が運転中の状態で前記空調機の設定温度を変更する設定温度変更ボタンの選択を検知すると、
変更後の前記空調機の設定温度に対応する前記時間情報及び前記第１の料金情報を新たに取得させ、
表示されている前記複数の動作モードそれぞれに対応する前記時間情報及び前記第１の料金情報を、新たに取得したものに更新させる、
請求項１又は２に記載の制御方法。
【請求項５】
前記空調機の設定温度を変更する設定温度変更ボタンの選択を検知すると、前記空調機の設定温度を変更する制御を行う制御コマンドを前記空調機に送信させる、
請求項３又は４に記載の制御方法。
【請求項６】
前記空調機が設置された部屋の室内温度を示す温度情報を所定のタイミングで取得させ、
取得した前記温度情報が前回取得した温度情報から変更されている場合、変更後の前記温度情報に対応する前記時間情報及び前記第１の料金情報を新たに取得させ、
表示されている前記複数の動作モードそれぞれに対応する前記時間情報及び前記第１の料金情報を、新たに取得したものに更新させる、
請求項１から請求項５のいずれか一に記載の制御方法。
【請求項７】
空調機を制御する空調制御システムにおける端末装置の制御方法であって、
前記空調機は、前記空調機が設置された部屋の室内温度を、前記空調機の設定温度に到達させるための複数の動作モードを有し、
前記空調機の状態が停止中の場合、
前記端末装置のコンピュータに対して、
前記空調機の状態が停止中から運転中に切り替わってから前記部屋の室内温度が前記設定温度に到達するまでの時間を示す時間情報、及び前記空調機の状態が停止中から運転中に切り替わってから前記部屋の室内温度が前記設定温度に到達するまでの前記空調機の消費電力量に対応する電気料金を示す第１の料金情報を、前記複数の動作モード毎に取得させ、
前記複数の動作モードそれぞれに対応する運転ボタンを表示する際に、前記複数の動作モードそれぞれに対応する前記時間情報及び前記第１の料金情報を、各動作モードに対応する運転ボタンと関連付けて表示させ、
前記複数の動作モードのうち一の動作モードに対応する運転ボタンの選択を検知すると、前記空調機を前記一の動作モードで運転する制御を行う制御コマンドを前記空調機に送信させ、
前記複数の動作モードは、通常モード、及び現在の室内温度が設定温度に到達するまでの消費電力が前記通常モードより少ないエコモードを含み、
前記エコモードに対応する前記第１の料金情報が、前記通常モードに対応する前記第１の料金情報より所定金額以上安い場合、前記エコモードに対応する運転ボタンを表示させる、
制御方法。
【請求項８】
空調機を制御する空調制御システムにおける端末装置の制御方法であって、
前記空調機は、前記空調機が設置された部屋の室内温度を、前記空調機の設定温度に到達させるための複数の動作モードを有し、
前記空調機の状態が停止中の場合、
前記端末装置のコンピュータに対して、
前記空調機の状態が停止中から運転中に切り替わってから前記部屋の室内温度が前記設定温度に到達するまでの時間を示す時間情報、及び前記空調機の状態が停止中から運転中に切り替わってから前記部屋の室内温度が前記設定温度に到達するまでの前記空調機の消費電力量に対応する電気料金を示す第１の料金情報を、前記複数の動作モード毎に取得させ、
前記複数の動作モードそれぞれに対応する運転ボタンを表示する際に、前記複数の動作モードそれぞれに対応する前記時間情報及び前記第１の料金情報を、各動作モードに対応する運転ボタンと関連付けて表示させ、
前記複数の動作モードのうち一の動作モードに対応する運転ボタンの選択を検知すると、前記空調機を前記一の動作モードで運転する制御を行う制御コマンドを前記空調機に送信させ、
前記複数の動作モードは、通常モード、及び現在の室内温度が設定温度に到達するまでの消費電力が前記通常モードより少ないエコモードを含み、
前記エコモードに対応する前記第１の料金情報が、前記通常モードに対応する前記第１の料金情報より所定金額以上安くない場合、前記エコモードに対応する運転ボタンを、前記通常モードに対応する運転ボタンとは異なる形態で表示させる、
制御方法。
【請求項９】
前記エコモードに対応する前記第１の料金情報が、前記通常モードに対応する前記第１の料金情報より所定金額以上安くない場合、前記エコモードに対応する運転ボタンを、前記通常モードに対応する運転ボタンとは異なる色で表示させる、
請求項８に記載の制御方法。
【請求項１０】
前記エコモードに対応する前記第１の料金情報が、前記通常モードに対応する前記第１の料金情報より所定金額以上安くない場合、前記エコモードに対応する運転ボタンの表示を消去させる、
請求項８に記載の制御方法。
【請求項１１】
空調機を制御する空調制御システムにおける端末装置の制御方法であって、
前記空調機は、前記空調機が設置された部屋の室内温度を、前記空調機の設定温度に到達させるための複数の動作モードを有し、
前記空調機の状態が停止中の場合、
前記端末装置のコンピュータに対して、
前記空調機の状態が停止中から運転中に切り替わってから前記部屋の室内温度が前記設定温度に到達するまでの時間を示す時間情報、及び前記空調機の状態が停止中から運転中に切り替わってから前記部屋の室内温度が前記設定温度に到達するまでの前記空調機の消費電力量に対応する電気料金を示す第１の料金情報を、前記複数の動作モード毎に取得させ、
前記複数の動作モードそれぞれに対応する運転ボタンを表示する際に、前記複数の動作モードそれぞれに対応する前記時間情報及び前記第１の料金情報を、各動作モードに対応する運転ボタンと関連付けて表示させ、
前記複数の動作モードのうち一の動作モードに対応する運転ボタンの選択を検知すると、前記空調機を前記一の動作モードで運転する制御を行う制御コマンドを前記空調機に送信させ、
前記複数の動作モードは、通常モードと、現在の室内温度が設定温度に到達するまでの時間が前記通常モードよりも短いパワフルモードを含み、
前記パワフルモードに対応する前記時間情報が、前記通常モードに対応する前記時間情報より所定時間以上早い場合、前記パワフルモードに対応する運転ボタンを表示させる、
制御方法。
【請求項１２】
空調機を制御する空調制御システムにおける端末装置の制御方法であって、
前記空調機は、前記空調機が設置された部屋の室内温度を、前記空調機の設定温度に到達させるための複数の動作モードを有し、
前記空調機の状態が停止中の場合、
前記端末装置のコンピュータに対して、
前記空調機の状態が停止中から運転中に切り替わってから前記部屋の室内温度が前記設定温度に到達するまでの時間を示す時間情報、及び前記空調機の状態が停止中から運転中に切り替わってから前記部屋の室内温度が前記設定温度に到達するまでの前記空調機の消費電力量に対応する電気料金を示す第１の料金情報を、前記複数の動作モード毎に取得させ、
前記複数の動作モードそれぞれに対応する運転ボタンを表示する際に、前記複数の動作モードそれぞれに対応する前記時間情報及び前記第１の料金情報を、各動作モードに対応する運転ボタンと関連付けて表示させ、
前記複数の動作モードのうち一の動作モードに対応する運転ボタンの選択を検知すると、前記空調機を前記一の動作モードで運転する制御を行う制御コマンドを前記空調機に送信させ、
前記複数の動作モードは、通常モードと、現在の室内温度が設定温度に到達するまでの時間が前記通常モードよりも短いパワフルモードを含み、
前記パワフルモードに対応する前記時間情報が、前記通常モードに対応する前記時間情報より所定時間以上早くない場合、前記パワフルモードに対応する運転ボタンを、前記通常モードに対応する運転ボタンとは異なる形態で表示させる、
制御方法。
【請求項１３】
前記パワフルモードに対応する前記時間情報が、前記通常モードに対応する前記時間情報より所定時間以上早くない場合、前記パワフルモードに対応する運転ボタンを、前記通常モードに対応する運転ボタンとは異なる色で表示させる、
請求項１２に記載の制御方法。 
【請求項１４】
前記パワフルモードに対応する前記時間情報が、前記通常モードに対応する前記時間情報より所定時間以上早くない場合、前記パワフルモードに対応する運転ボタンの表示を消去する、
請求項１２に記載の制御方法。
【請求項１５】
前記複数の動作モードは、通常モード、現在の室内温度が設定温度に到達するまでの消費電力が前記通常モードより少ないエコモード、及び現在の室内温度が設定温度に到達するまでの時間が前記通常モードよりも短いパワフルモードを含み、
前記エコモードに対応する前記第１の料金情報が、前記通常モードに対応する前記第１の料金情報より所定金額以上安くなく、且つ、前記パワフルモードに対応する前記時間情報が、前記通常モードに対応する前記時間情報より所定時間以上早くない場合、
前記複数の動作モードそれぞれに対応する運転ボタンを表示する際に、前記通常モードに対応する運転ボタンのみ表示させる、
請求項１から請求項１４のいずれか一に記載の制御方法。
【請求項１６】
前記空調機が設置された部屋の室内温度を示す温度情報を所定のタイミングで取得させ、
取得した前記温度情報が、前記空調機の設定温度に到達した場合、
前記空調機が前記設定温度を維持するために必要な消費電力量に対応する電気料金を示す第２の料金情報を取得させ、
少なくとも、運転中の動作モードに対応する前記時間情報及び前記第１の料金情報の表示を、運転中の動作モードに対応する前記第２の料金情報の表示に切り替えさせる、
請求項１から請求項１５のいずれか一に記載の制御方法。
【請求項１７】
前記空調機が設置された部屋の室内温度を示す温度情報を所定のタイミングで取得させ、
取得した前記温度情報が、前記空調機の設定温度に到達した場合、
前記空調機が前記設定温度を維持するために必要な消費電力量に対応する電気料金を示す第２の料金情報を、前記複数の動作モード毎に取得させ、
前記複数の動作モードそれぞれに対応する前記時間情報及び前記第１の料金情報の表示を、各動作モードに対応する前記第２の料金情報の表示に切り替えさせる、
請求項１から請求項１５のいずれか一に記載の制御方法。
【請求項１８】
前記空調機の状態が停止中から運転中に切り替わってから前記部屋の室内温度が前記設定温度に到達するまでの時間を示す時間情報、及び前記空調機の状態が停止中から運転中に切り替わってから前記部屋の室内温度が前記設定温度に到達するまでの前記空調機の消費電力量に対応する電気料金を示す第１の料金情報を、前記複数の動作モード毎に、所定のタイミングで新たに取得させ、
表示されている前記複数の動作モードそれぞれに対応する前記時間情報及び前記第１の料金情報を、新たに取得したものに更新させる、
請求項１から請求項１７のいずれか一に記載の制御方法。
【請求項１９】
前記端末装置のコンピュータに対して、
前記空調機の設定温度を示す設定情報、前記空調機が設置された部屋の室内温度を示す温度情報、前記空調機の複数の動作モード毎の空調制御速度及び空調制御単価を示す能力情報を前記空調制御システムから取得させ、
前記取得された設定情報、温度情報及び、能力情報を用いて、前記空調機の状態が停止中から運転中に切り替わってから前記部屋の室内温度が前記設定温度に到達するまでの時間を示す時間情報、及び前記空調機の状態が停止中から運転中に切り替わってから前記部屋の室内温度が前記設定温度に到達するまでの前記空調機の消費電力量に対応する電気料金を示す第１の料金情報を、前記複数の動作モード毎に生成させる、
請求項１から請求項１８のいずれか一に記載の制御方法。
【請求項２０】
前記空調機の状態が停止中から運転中に切り替わってから前記空調機が設置された部屋の室内温度が前記空調機の設定温度に到達するまでの時間を示す時間情報、及び前記空調機の状態が停止中から運転中に切り替わってから前記部屋の室内温度が前記設定温度に到達するまでの前記空調機の消費電力量に対応する電気料金を示す第１の料金情報の、前記複数の動作モード毎の取得は、前記空調制御システムからの取得である、
請求項１から請求項１８のいずれか一に記載の制御方法。
【請求項２１】
空調機を制御する空調制御システムにおいて端末装置を制御するプログラムであって、
前記空調機は、前記空調機が設置された部屋の室内温度を、前記空調機の設定温度に到達させるための複数の動作モードを有し、
前記空調機の状態が停止中の場合、
前記端末装置のコンピュータに対して、
前記空調機の状態が停止中から運転中に切り替わってから前記部屋の室内温度が前記設定温度に到達するまでの時間を示す時間情報、及び前記空調機の状態が停止中から運転中に切り替わってから前記部屋の室内温度が前記設定温度に到達するまでの前記空調機の消費電力量に対応する電気料金を示す第１の料金情報を、前記複数の動作モード毎に取得させ、
前記複数の動作モードそれぞれに対応する運転ボタンを表示する際に、前記複数の動作モードそれぞれに対応する前記時間情報及び前記第１の料金情報を、各動作モードに対応する運転ボタンと関連付けて表示させ、
前記複数の動作モードのうち一の動作モードに対応する運転ボタンの選択を検知すると、前記空調機を前記一の動作モードで運転する制御を行う制御コマンドを前記空調機に送信させ、
前記空調機が一の動作モードで運転中の場合、前記運転中の動作モードに対応する運転ボタンの表示を消去させ、
前記運転中の動作モードに対応する前記時間情報及び前記第１の料金情報を、前記運転中の動作モードに対応する運転ボタンが表示されていた領域と同一領域に表示させ、
前記運転中の動作モード以外の動作モードに対応する前記時間情報及び前記第１の料金情報を、各動作モードに対応する運転ボタンの枠内に表示させる、
プログラム。
【請求項２２】
空調機を制御する空調制御システムにおいて端末装置を制御するプログラムであって、
前記空調機は、前記空調機が設置された部屋の室内温度を、前記空調機の設定温度に到達させるための複数の動作モードを有し、
前記空調機の状態が停止中の場合、
前記端末装置のコンピュータに対して、
前記空調機の状態が停止中から運転中に切り替わってから前記部屋の室内温度が前記設定温度に到達するまでの時間を示す時間情報、及び前記空調機の状態が停止中から運転中に切り替わってから前記部屋の室内温度が前記設定温度に到達するまでの前記空調機の消費電力量に対応する電気料金を示す第１の料金情報を、前記複数の動作モード毎に取得させ、
前記複数の動作モードそれぞれに対応する運転ボタンを表示する際に、前記複数の動作モードそれぞれに対応する前記時間情報及び前記第１の料金情報を、各動作モードに対応する運転ボタンと関連付けて表示させ、
前記複数の動作モードのうち一の動作モードに対応する運転ボタンの選択を検知すると、前記空調機を前記一の動作モードで運転する制御を行う制御コマンドを前記空調機に送信させ、
前記複数の動作モードは、通常モード、及び現在の室内温度が設定温度に到達するまでの消費電力が前記通常モードより少ないエコモードを含み、
前記エコモードに対応する前記第１の料金情報が、前記通常モードに対応する前記第１の料金情報より所定金額以上安い場合、前記エコモードに対応する運転ボタンを表示させる、
プログラム。
【請求項２３】
空調機を制御する空調制御システムにおいて端末装置を制御するプログラムであって、
前記空調機は、前記空調機が設置された部屋の室内温度を、前記空調機の設定温度に到達させるための複数の動作モードを有し、
前記空調機の状態が停止中の場合、
前記端末装置のコンピュータに対して、
前記空調機の状態が停止中から運転中に切り替わってから前記部屋の室内温度が前記設定温度に到達するまでの時間を示す時間情報、及び前記空調機の状態が停止中から運転中に切り替わってから前記部屋の室内温度が前記設定温度に到達するまでの前記空調機の消費電力量に対応する電気料金を示す第１の料金情報を、前記複数の動作モード毎に取得させ、
前記複数の動作モードそれぞれに対応する運転ボタンを表示する際に、前記複数の動作モードそれぞれに対応する前記時間情報及び前記第１の料金情報を、各動作モードに対応する運転ボタンと関連付けて表示させ、
前記複数の動作モードのうち一の動作モードに対応する運転ボタンの選択を検知すると、前記空調機を前記一の動作モードで運転する制御を行う制御コマンドを前記空調機に送信させ、
前記複数の動作モードは、通常モード、及び現在の室内温度が設定温度に到達するまでの消費電力が前記通常モードより少ないエコモードを含み、
前記エコモードに対応する前記第１の料金情報が、前記通常モードに対応する前記第１の料金情報より所定金額以上安くない場合、前記エコモードに対応する運転ボタンを、前記通常モードに対応する運転ボタンとは異なる形態で表示させる、
プログラム。
【請求項２４】
空調機を制御する空調制御システムにおいて端末装置を制御するプログラムであって、
前記空調機は、前記空調機が設置された部屋の室内温度を、前記空調機の設定温度に到達させるための複数の動作モードを有し、
前記空調機の状態が停止中の場合、
前記端末装置のコンピュータに対して、
前記空調機の状態が停止中から運転中に切り替わってから前記部屋の室内温度が前記設定温度に到達するまでの時間を示す時間情報、及び前記空調機の状態が停止中から運転中に切り替わってから前記部屋の室内温度が前記設定温度に到達するまでの前記空調機の消費電力量に対応する電気料金を示す第１の料金情報を、前記複数の動作モード毎に取得させ、
前記複数の動作モードそれぞれに対応する運転ボタンを表示する際に、前記複数の動作モードそれぞれに対応する前記時間情報及び前記第１の料金情報を、各動作モードに対応する運転ボタンと関連付けて表示させ、
前記複数の動作モードのうち一の動作モードに対応する運転ボタンの選択を検知すると、前記空調機を前記一の動作モードで運転する制御を行う制御コマンドを前記空調機に送信させ、
前記複数の動作モードは、通常モードと、現在の室内温度が設定温度に到達するまでの時間が前記通常モードよりも短いパワフルモードを含み、
前記パワフルモードに対応する前記時間情報が、前記通常モードに対応する前記時間情報より所定時間以上早い場合、前記パワフルモードに対応する運転ボタンを表示させる、
プログラム。
【請求項２５】
空調機を制御する空調制御システムにおいて端末装置を制御するプログラムであって、
前記空調機は、前記空調機が設置された部屋の室内温度を、前記空調機の設定温度に到達させるための複数の動作モードを有し、
前記空調機の状態が停止中の場合、
前記端末装置のコンピュータに対して、
前記空調機の状態が停止中から運転中に切り替わってから前記部屋の室内温度が前記設定温度に到達するまでの時間を示す時間情報、及び前記空調機の状態が停止中から運転中に切り替わってから前記部屋の室内温度が前記設定温度に到達するまでの前記空調機の消費電力量に対応する電気料金を示す第１の料金情報を、前記複数の動作モード毎に取得させ、
前記複数の動作モードそれぞれに対応する運転ボタンを表示する際に、前記複数の動作モードそれぞれに対応する前記時間情報及び前記第１の料金情報を、各動作モードに対応する運転ボタンと関連付けて表示させ、
前記複数の動作モードのうち一の動作モードに対応する運転ボタンの選択を検知すると、前記空調機を前記一の動作モードで運転する制御を行う制御コマンドを前記空調機に送信させ、
前記複数の動作モードは、通常モードと、現在の室内温度が設定温度に到達するまでの時間が前記通常モードよりも短いパワフルモードを含み、
前記パワフルモードに対応する前記時間情報が、前記通常モードに対応する前記時間情報より所定時間以上早くない場合、前記パワフルモードに対応する運転ボタンを、前記通常モードに対応する運転ボタンとは異なる形態で表示させる、
プログラム。
【発明の詳細な説明】
【技術分野】
【０００１】
本開示は、空調機を制御する空調制御システムにおける端末装置の制御方法に関する。
【背景技術】
【０００２】
空調機の運転における室内環境の変化をユーザに示すことで、ユーザに制御状態を判断する材料を提供し、その結果、ユーザの要望に応じた室内環境を構築する空調機が開示されている。例えば、特許文献１には、空調機の設定条件に応じた設定室内環境に室内環境が到達するまでの予定時間情報を生成し、生成した予定時間情報を表示部に表示してユーザに提示する空調機が記載されている。
【先行技術文献】
【特許文献】
【０００３】
【特許文献１】特開２００４−０８５０４２号公報
【発明の概要】
【発明が解決しようとする課題】
【０００４】
しかし、上記従来の技術では、更なる改善が必要であった。
【課題を解決するための手段】
【０００５】
上記課題を解決するために、本開示の一態様は、
空調機を制御する空調制御システムにおける端末装置の制御方法であって、
前記空調機は、前記空調機が設置された部屋の室内温度を、前記空調機の設定温度に到達させるための複数の動作モードを有し、
前記空調機の状態が停止中の場合、
前記端末装置のコンピュータに対して、
前記空調機の状態が停止中から運転中に切り替わってから前記部屋の室内温度が前記設定温度に到達するまでの時間を示す時間情報、及び前記空調機の状態が停止中から運転中に切り替わってから前記部屋の室内温度が前記設定温度に到達するまでの前記空調機の消費電力量に対応する電気料金を示す第１の料金情報を、前記複数の動作モード毎に取得させ、
前記複数の動作モードそれぞれに対応する運転ボタンを表示する際に、前記複数の動作モードそれぞれに対応する前記時間情報及び前記第１の料金情報を、各動作モードに対応する運転ボタンと関連付けて表示させ、
前記複数の動作モードのうち一の動作モードに対応する運転ボタンの選択を検知すると、前記空調機を前記一の動作モードで運転する制御を行う制御コマンドを前記空調機に送信させる、
ものである。
【発明の効果】
【０００６】
これにより、更なる改善を図ることができた。
【図面の簡単な説明】
【０００７】
【図１】本開示による空調制御システムの全体構成を示す図である。
【図２】本開示による空調制御システムの構成の第１例を示す図である。
【図３】本開示による空調制御システムの構成の第２例を示す図である。
【図４】本開示による空調制御システムの構成の第３例を示す図である。
【図５】機器テーブルのデータ構造の一例を示す図である。
【図６】機器状態テーブルのデータ構造の第１例を示す図である。
【図７】機器状態テーブルのデータ構造の第２例を示す図である。
【図８】空調コスト算出テーブルのデータ構造の第１例を示す図である。
【図９】空調コスト算出テーブルのデータ構造の第２例を示す図である。
【図１０】トップ画面の一例を示す図である。
【図１１】停止中操作画面の一例を示す図である。
【図１２】停止中操作画面のその他の一例を示す図である。
【図１３】運転中操作画面の一例を示す図である。
【図１４】トップ画面のその他の一例を示す図である。
【図１５】停止中のエアコンを運転するための画面フローの一例を示す図である。
【図１６】運転中のエアコンを停止するための画面フローの一例を示す図である。
【図１７】運転中操作画面のその他の一例を示す図である。
【図１８】室内温度と設定温度が同じ場合における、運転中操作画面の一例を示す図である。
【図１９】室内温度と設定温度が同じ場合における、停止中操作画面の一例を示す図である。
【図２０】室内温度が設定温度に到達した場合に、運転中のエアコンを停止するための画面フローの一例を示す図である。
【図２１】運転中操作画面のその他の一例である。
【図２２】運転中のエアコンの設定温度を変更するための画面フローの一例を示す図である。
【図２３】運転中操作画面のその他の一例である。
【図２４】運転中のエアコンの動作モードを変更するための画面フローの一例を示す図である。
【図２５】図１２の操作画面の別例を示す図である。
【図２６】図１３の操作画面の別例を示す図である。
【図２７】図１７の操作画面の別例を示す図である。
【図２８】図１８の操作画面の別例を示す図である。
【図２９】図１９の操作画面の別例を示す図である。
【図３０】図２３の操作画面の別例を示す図である。
【図３１】停止中操作画面のその他の一例である。
【図３２】空調制御システムのトップ画面表示処理の第１例を示すシーケンス図である。
【図３３】空調制御システムのトップ画面表示処理の第２例を示すシーケンス図である。
【図３４】空調制御システムのトップ画面表示処理の第３例を示すシーケンス図である。
【図３５】空調制御システムの操作画面表示処理の第１例を示すシーケンス図である。
【図３６】空調制御システムの操作画面表示処理の第２例を示すシーケンス図である。
【図３７】空調制御システムの操作画面表示処理の第３例を示すシーケンス図である。
【図３８】空調制御システムの操作画面表示処理の第４例を示すシーケンス図である。
【図３９】空調制御システムの機器操作処理の第１例を示すシーケンス図である。
【図４０】空調制御システムの機器操作処理の第２例を示すシーケンス図である。
【図４１】全体処理の一例を示すフローチャートである。
【図４２】機器状態取得処理の一例を示すフローチャートである。
【図４３】停止中操作画面の表示処理の第１例を示すフローチャートである。
【図４４】停止中操作画面の表示処理の第２例を示すフローチャートである。
【図４５】停止中操作画面の表示処理の第３例を示すフローチャートである。
【図４６】運転中操作画面の表示処理の第１例を示すフローチャートである。
【図４７】運転中操作画面の表示処理の第２例を示すフローチャートである。
【図４８】運転中操作画面の表示処理の第３例を示すフローチャートである。
【図４９】制御コマンド送信処理の一例を示すフローチャートである。
【図５０】空調コスト算出処理の一例を示すフローチャートである。
【発明を実施するための形態】
【０００８】
（本開示に係る一態様を発明するに至った経緯）
上記特許文献１では、空調機の設定条件に応じた設定室内環境に室内環境が到達するまでの予定時間情報を生成し、生成した予定時間情報を表示部に表示してユーザに提示する空調機が記載されている。
【０００９】
一般的に、空調機は、前記空調機が設置された部屋の室内温度を前記空調機の設定温度に到達させるための動作モードとして、複数の動作モード（例えば「通常モード」と、現在の室内温度が設定温度に到達するまでの消費電力が通常モードより少ないがより時間がかかる「エコモード」等）を有する。
【００１０】
しかし、特許文献１では、複数の動作モードに対応する空調機の設定条件に応じた設定室内環境に室内環境が到達するまでの予定時間情報をユーザに示すことは開示されていない。そのため、空調機が複数の動作モードを有するにも係らず、ユーザは、複数の動作モードのそれぞれに、どのような違いがあるのかを定量的に把握することができない為、どの動作モードを選択して良いか分からない、という課題がある。
【００１１】
また、例えば、エコモードでは、通常モードよりも安い電気料金で室内温度を所定の設定温度に到達させることができるが、通常モードよりも時間がかかる。
【００１２】
そのため、ユーザがどの動作モードを選択した方が良いかの指針として、動作モードごとに、空調機の設定条件に応じた設定室内環境に室内環境が到達するまでの予定時間情報と、電気料金を示す情報をユーザに示す必要がある。つまり、特許文献１に開示されている空調機の設定条件に応じた設定室内環境に室内環境が到達するまでの予定時間情報だけでは不十分である、という課題がある。
【００１３】
そこで、複数の動作モードそれぞれに対応する、空調機の状態が停止中から運転中に切り替わってから前記部屋の室内温度が前記設定温度に到達するまでの時間を示す時間情報、及び前記空調機の状態が停止中から運転中に切り替わってから前記部屋の室内温度が前記設定温度に到達するまでの前記空調機の消費電力量に対応する電気料金を示す料金情報を、各動作モードに対応する運転ボタンと関連付けて表示させることとした。
【００１４】
すなわち、本開示の一態様は、
空調機を制御する空調制御システムにおける端末装置の制御方法であって、
前記空調機は、前記空調機が設置された部屋の室内温度を、前記空調機の設定温度に到達させるための複数の動作モードを有し、
前記空調機の状態が停止中の場合、
前記端末装置のコンピュータに対して、
前記空調機の状態が停止中から運転中に切り替わってから前記部屋の室内温度が前記設定温度に到達するまでの時間を示す時間情報、及び前記空調機の状態が停止中から運転中に切り替わってから前記部屋の室内温度が前記設定温度に到達するまでの前記空調機の消費電力量に対応する電気料金を示す第１の料金情報を、前記複数の動作モード毎に取得させ、
前記複数の動作モードそれぞれに対応する運転ボタンを表示する際に、前記複数の動作モードそれぞれに対応する前記時間情報及び前記第１の料金情報を、各動作モードに対応する運転ボタンと関連付けて表示させ、
前記複数の動作モードのうち一の動作モードに対応する運転ボタンの選択を検知すると、前記空調機を前記一の動作モードで運転する制御を行う制御コマンドを前記空調機に送信させる、
ものである。
【００１５】
一般的に、空調機は、前記空調機が設置された部屋の室内温度を前記空調機の設定温度に到達させるための動作モードとして、複数の動作モード（例えば「通常モード」と、現在の室内温度が設定温度に到達するまでの消費電力が通常モードより少ない「エコモード」等）を有する。
【００１６】
しかし、従来の空調機では、空調機が複数の動作モードを有するにも係らず、ユーザは、複数の動作モードのそれぞれに、どのような違いがあるのかを定量的に把握することができない為、どの動作モードを選択して良いか分からない、という課題がある。
【００１７】
例えば、エコモードでは、通常モードよりも安い電気料金で室内温度を所定の設定温度に到達させることができるが、通常モードよりも時間がかかる。この場合、通常モードと比較してエコモードは、どの程度電気料金が安いのか、どの程度時間がかかるのかをユーザは把握することができない為、ユーザは通常モードとエコモードのどちらを選択して良いか分からない。
【００１８】
そこで、上記態様によれば、前記空調機の状態が停止中から運転中に切り替わってから前記部屋の室内温度が前記設定温度に到達するまでの時間を示す時間情報、及び前記空調機の状態が停止中から運転中に切り替わってから前記部屋の室内温度が前記設定温度に到達するまでの前記空調機の消費電力量に対応する電気料金を示す料金情報を、各動作モードに対応する運転ボタンと関連付けて表示させている。
【００１９】
これにより、ユーザに対してどの動作モードを選択した方が良いかの指針を示すことができる。
【００２０】
例えばユーザは、時間情報と料金情報を具体的な数値で確認した上で、通常モードと比較してエコモードは、どの程度電気料金が安いのか、どの程度時間がかかるのかを把握することができる。
【００２１】
そして、どの程度電気料金が安いのか、どの程度時間がかかるのかを把握した上で、室内温度が設定温度に到達するまでに比較的長い時間がかかっても、電気料金の安さに魅力を感じるユーザはエコモードを選択できるし、室内温度が設定温度に到達するまでにかかる電気料金が比較的高くても、設定温度に到達する時間の短さに魅力を感じるユーザは通常モードを選択することができる。
【００２２】
また、上記態様において、例えば、
前記複数の動作モードそれぞれに対応する運転ボタンを表示する際に、前記複数の動作モードそれぞれに対応する前記時間情報及び前記第１の料金情報を、各動作モードに対応する運転ボタンの枠内に表示させてもよい。
【００２３】
これにより、前記複数の動作モードそれぞれに対応する前記時間情報及び前記第１の料金情報を、各動作モードに対応する運転ボタンの枠内に表示させることで、動作モード、時間情報及び第１の料金情報の関連性をユーザが把握できる状態を維持しつつ、前記端末装置の表示領域を節約できる。
【００２４】
端末装置の表示領域を節約できた結果、文字を大きくする等、動作モード、時間情報及び第１の料金情報の視認性を向上することができ、ユーザに対してどの動作モードを選択した方が良いかの指針を効果的に示すことができる。
【００２５】
また、上記態様において、例えば、
前記空調機が一の動作モードで運転中の場合、前記運転中の動作モードに対応する運転ボタンの表示を消去させ、
前記運転中の動作モードに対応する前記時間情報及び前記第１の料金情報を、前記運転中の動作モードに対応する運転ボタンが表示されていた領域と同一領域に表示させ、
前記運転中の動作モード以外の動作モードに対応する前記時間情報及び前記第１の料金情報を、各動作モードに対応する運転ボタンの枠内に表示させてもよい。
【００２６】
従来、運転中の動作モードに対応する運転ボタンを選択しても空調機の動作が変わらないことをユーザに伝える為、運転中の動作モードに対応する運転ボタンが選択された場合、空調機本体からエラー音を発生させていた。しかし、ユーザがエラー音の意味を認識できない、ユーザがエラー音を聞き逃してしまう、という課題があった。
【００２７】
そこで、運転中の動作モードに対応する運転ボタンを消去させることで、運転中の動作モードに対応する運転ボタンを選択しても空調機の動作が変わらないことを確実にユーザに伝えることができる。
【００２８】
さらに、前記運転中の動作モードに対応する前記時間情報及び前記第１の料金情報を、前記運転中の動作モードに対応する運転ボタンが表示されていた領域と同一領域に表示させ、前記運転中の動作モード以外の動作モードに対応する前記時間情報及び前記第１の料金情報を、各動作モードに対応する運転ボタンの枠内に表示させることで、動作モードと時間情報、第１の料金情報の関連性をユーザが把握できる状態を維持しつつ、前記端末装置の表示領域を節約できる。
【００２９】
端末装置の表示領域を節約できた結果、文字を大きくする等、動作モードと時間情報、第１の料金情報の視認性を向上することができ、ユーザに対してどの動作モードを選択した方が良いかの指針を効果的に示すことができる。
【００３０】
また、上記態様において、例えば、
前記空調機の設定温度を変更する設定温度変更ボタンを表示させ、
前記運転ボタンの選択前に、前記空調機が停止中の状態で前記空調機の設定温度を変更する設定温度変更ボタンの選択を検知すると、
変更後の前記空調機の設定温度に対応する前記時間情報及び前記第１の料金情報を新たに取得させ、
表示されている前記複数の動作モードそれぞれに対応する前記時間情報及び前記第１の料金情報を、新たに取得したものに更新させてもよい。
【００３１】
また、上記態様において、例えば、
前記空調機の設定温度を変更する設定温度変更ボタンを表示させ、
前記運転ボタンの選択後に、前記空調機が運転中の状態で前記空調機の設定温度を変更する設定温度変更ボタンの選択を検知すると、
変更後の前記空調機の設定温度に対応する前記時間情報及び前記第１の料金情報を新たに取得させ、
表示されている前記複数の動作モードそれぞれに対応する前記時間情報及び前記第１の料金情報を、新たに取得したものに更新させてもよい。
【００３２】
これにより、ユーザが前記空調機の設定温度を変更した場合、ユーザは変更後の設定温度における、複数の動作モードそれぞれに対応する時間情報と第１の料金情報を確認することができる。
【００３３】
従って、ユーザは空調機の設定温度を何度にしたら、どの程度電気料金がかかるのか、どの程度時間がかかるのかを確認しながら、設定温度を何度にするのかを決めることができる。
【００３４】
さらに、ユーザは複数の動作モードそれぞれについて、空調機の設定温度を何度にしたら、どの程度電気料金がかかるのか、どの程度時間がかかるのかを確認することができるので、ユーザに対してどの動作モードを選択した方が良いかの指針を示すことができる。
【００３５】
また、上記態様において、例えば、
前記空調機の設定温度を変更する設定温度変更ボタンの選択を検知すると、前記空調機の設定温度を変更する制御を行う制御コマンドを前記空調機に送信させてもよい。
【００３６】
また、上記態様において、例えば、
前記空調機が設置された部屋の室内温度を示す温度情報を所定のタイミングで取得させ、
取得した前記温度情報が前回取得した温度情報から変更されている場合、変更後の前記温度情報に対応する前記時間情報及び前記第１の料金情報を新たに取得させ、
表示されている前記複数の動作モードそれぞれに対応する前記時間情報及び前記第１の料金情報を、新たに取得したものに更新させてもよい。
【００３７】
空調機が動作することによって、室内温度は空調機の設定温度に近づくよう変更される。ユーザは変更後の室内温度における、複数の動作モードそれぞれに対応する時間情報と第１の料金情報を確認することができる。
【００３８】
また、上記態様において、例えば、
前記複数の動作モードは、通常モード、及び現在の室内温度が設定温度に到達するまでの消費電力が前記通常モードより少ないエコモードを含み、
前記エコモードに対応する前記第１の料金情報が、前記通常モードに対応する前記第１の料金情報より所定金額以上安い場合、前記エコモードに対応する運転ボタンを表示させてもよい。
【００３９】
エコモードでは、通常モードよりも安い電気料金で室内温度を所定の設定温度に到達させることができるが、通常モードよりも時間がかかる。
【００４０】
前記エコモードに対応する前記第１の料金情報が、前記通常モードに対応する前記第１の料金情報より所定金額以上安い場合、前記エコモードに対応する運転ボタンを表示させることで、エコモードを選択することでユーザにとって電気料金が安くなるメリットが大きい場合に、ユーザにエコモードを選択肢のひとつとして提示することができる。
【００４１】
その結果、ユーザは通常モードとエコモードのメリットとデメリットの両方を比較しながら、ユーザにとって適切な動作モードを選択することができる。
【００４２】
また、上記態様において、例えば、
前記エコモードに対応する前記第１の料金情報が、前記通常モードに対応する前記第１の料金情報より所定金額以上安くない場合、前記エコモードに対応する運転ボタンを、前記通常モードに対応する運転ボタンとは異なる形態で表示させてもよい。
【００４３】
また、上記態様において、例えば、
前記エコモードに対応する前記第１の料金情報が、前記通常モードに対応する前記第１の料金情報より所定金額以上安くない場合、前記エコモードに対応する運転ボタンを、前記通常モードに対応する運転ボタンとは異なる色で表示させてもよい。
【００４４】
エコモードでは、通常モードよりも安い電気料金で室内温度を所定の設定温度に到達させることができる。しかし、現在の室内温度と設定温度との差が少ない場合、エコモードと通常モードで電気料金はほとんど変わらない。この場合、エコモードを選択してもユーザにとって電気料金が安くなるメリットが小さい。
【００４５】
そこで、前記エコモードに対応する前記第１の料金情報が、前記通常モードに対応する前記第１の料金情報より所定金額以上安くない場合、前記エコモードに対応する運転ボタンを、前記通常モードに対応する運転ボタンとは異なる色で表示させることで、ユーザにエコモードを選択しないよう注意を促すことができる。
【００４６】
換言すると、エコモードと通常モードで電気料金はほとんど変わらない場合、ユーザにとってより適切な動作モードが通常モードであることを示すことができる。
【００４７】
また、上記態様において、例えば、
前記エコモードに対応する前記第１の料金情報が、前記通常モードに対応する前記第１の料金情報より所定金額以上安くない場合、前記エコモードに対応する運転ボタンの表示を消去させてもよい。
【００４８】
エコモードでは、通常モードよりも安い電気料金で室内温度を所定の設定温度に到達させることができる。しかし、現在の室内温度と設定温度との差が少ない場合、エコモードと通常モードで電気料金はほとんど変わらない。
【００４９】
そこで、前記エコモードに対応する前記第１の料金情報が、前記通常モードに対応する前記第１の料金情報より所定金額以上安くない場合、前記エコモードに対応する運転ボタンの表示を消去させることで、エコモードを選択してもユーザにとって電気料金が安くなるメリットが小さい場合に、ユーザがエコモードを選択することを防止することができる。
【００５０】
換言すると、エコモードと通常モードで電気料金はほとんど変わらない場合、ユーザにとってより適切な動作モードが通常モードであることを示すことができる。
【００５１】
また、上記態様において、例えば、
前記複数の動作モードは、通常モードと、現在の室内温度が設定温度に到達するまでの時間が前記通常モードよりも短いパワフルモードを含み、
前記パワフルモードに対応する前記時間情報が、前記通常モードに対応する前記時間情報より所定時間以上早い場合、前記パワフルモードに対応する運転ボタンを表示させてもよい。
【００５２】
パワフルモードでは、通常モードよりも短い時間で室内温度を所定の設定温度に到達させることができるが、通常モードよりも消費電力が大きくなる。
【００５３】
前記パワフルモードに対応する前記時間情報が、前記通常モードに対応する前記時間情報より所定時間以上早い場合、前記パワフルモードに対応する運転ボタンを表示させることで、パワフルモードを選択することでユーザにとって室内温度が設定温度に到達するまでの時間が短くなるメリットが大きい場合に、ユーザにパワフルモードを選択肢のひとつとして提示することができる。
【００５４】
その結果、通常モードとパワフルモードのメリット／デメリットの両方をユーザに提示した上で、ユーザに対してどの動作モードを選択した方が良いかの指針を示すことができる。
【００５５】
また、上記態様において、例えば、
前記パワフルモードに対応する前記時間情報が、前記通常モードに対応する前記時間情報より所定時間以上早くない場合、前記パワフルモードに対応する運転ボタンを、前記通常モードに対応する運転ボタンとは異なる形態で表示させてもよい。
【００５６】
また、上記態様において、例えば、
前記パワフルモードに対応する前記時間情報が、前記通常モードに対応する前記時間情報より所定時間以上早くない場合、前記パワフルモードに対応する運転ボタンを、前記通常モードに対応する運転ボタンとは異なる色で表示させてもよい。
【００５７】
パワフルモードでは、通常モードよりも短い時間で室内温度を所定の設定温度に到達させることができる。しかし、現在の室内温度と設定温度との差が少ない場合、パワフルモードと通常モードで室内温度が設定温度に到達する時間はほとんど変わらない。
【００５８】
そこで、前記パワフルモードに対応する前記時間情報が、前記通常モードに対応する前記時間情報より所定時間以上早くない場合、前記パワフルモードに対応する運転ボタンを、前記通常モードに対応する運転ボタンとは異なる色で表示させることで、パワフルモードを選択してもユーザにとって室内温度が設定温度に到達するまでの時間が短くなるメリットが小さい場合に、ユーザにパワフルモードを選択しないよう注意を促すことができる。
【００５９】
換言すると、パワフルモードと通常モードでは室内温度が設定温度に到達するまでの時間がほとんど変わらない場合、ユーザにとってより適切な動作モードが通常モードであることを示すことができる。
【００６０】
また、上記態様において、例えば、
前記パワフルモードに対応する前記時間情報が、前記通常モードに対応する前記時間情報より所定時間以上早くない場合、前記パワフルモードに対応する運転ボタンの表示を消去してもよい。
【００６１】
パワフルモードでは、通常モードよりも短い時間で室内温度を所定の設定温度に到達させることができる。しかし、現在の室内温度と設定温度との差が少ない場合、パワフルモードと通常モードで室内温度が設定温度に到達する時間はほとんど変わらない。
【００６２】
そこで、前記パワフルモードに対応する前記時間情報が、前記通常モードに対応する前記時間情報より所定時間以上早くない場合、前記パワフルモードに対応する運転ボタンの表示を消去することで、パワフルモードを選択してもユーザにとって室内温度が設定温度に到達するまでの時間が短くなるメリットが小さい場合に、ユーザがパワフルモードを選択することを防止することができる。
【００６３】
換言すると、パワフルモードと通常モードでは室内温度が設定温度に到達するまでの時間がほとんど変わらない場合、ユーザにとってより適切な動作モードが通常モードであることを示すことができる。
【００６４】
また、上記態様において、例えば、
前記複数の動作モードは、通常モード、現在の室内温度が設定温度に到達するまでの消費電力が前記通常モードより少ないエコモード、及び現在の室内温度が設定温度に到達するまでの時間が前記通常モードよりも短いパワフルモードを含み、
前記エコモードに対応する前記第１の料金情報が、前記通常モードに対応する前記第１の料金情報より所定金額以上安くなく、且つ、前記パワフルモードに対応する前記時間情報が、前記通常モードに対応する前記時間情報より所定時間以上早くない場合、
前記複数の動作モードそれぞれに対応する運転ボタンを表示する際に、前記通常モードに対応する運転ボタンのみ表示させてもよい。
【００６５】
エコモードでは、通常モードよりも安い電気料金で室内温度を所定の設定温度に到達させることができる。しかし、現在の室内温度と設定温度との差が少ない場合、エコモードと通常モードで電気料金はほとんど変わらない。
【００６６】
また、パワフルモードでは、通常モードよりも短い時間で室内温度を所定の設定温度に到達させることができる。しかし、現在の室内温度と設定温度との差が少ない場合、パワフルモードと通常モードで室内温度が設定温度に到達する時間はほとんど変わらない。
【００６７】
そこで、エコモード及びパワフルモードを選択してもユーザにとってメリットが小さい場合に、通常モードに対応する運転ボタンのみを表示させることで、ユーザがエコモード及びパワフルモードを選択することを防止することができる。
【００６８】
換言すると、エコモードと通常モードで電気料金はほとんど変わらず、且つパワフルモードと通常モードでは室内温度が設定温度に到達するまでの時間がほとんど変わらない場合、ユーザにとってより適切な動作モードが通常モードであることを示すことができる。
【００６９】
また、上記態様において、例えば、
前記空調機が設置された部屋の室内温度を示す温度情報を所定のタイミングで取得させ、
取得した前記温度情報が、前記空調機の設定温度に到達した場合、
前記空調機が前記設定温度を維持するために必要な消費電力量に対応する電気料金を示す第２の料金情報を取得させ、
少なくとも、運転中の動作モードに対応する前記時間情報及び前記第１の料金情報の表示を、運転中の動作モードに対応する前記第２の料金情報の表示に切り替えさせてもよい。
【００７０】
空調機が設置された部屋の室内温度が設定温度に到達した場合、それまで表示していた前記空調機の状態が停止中から運転中に切り替わってから前記部屋の室内温度が前記設定温度に到達するまでの時間を示す時間情報は０分となり、前記空調機の状態が停止中から運転中に切り替わってから前記部屋の室内温度が前記設定温度に到達するまでの前記空調機の消費電力量に対応する電気料金は０円となる為、ユーザが関心を持つ情報ではない。
【００７１】
そこで、取得した前記温度情報が、前記空調機の設定温度に到達した場合、前記空調機が前記設定温度を維持するために必要な消費電力量に対応する電気料金を示す第２の料金情報を取得させ、少なくとも、運転中の動作モードに対応する前記時間情報及び前記第１の料金情報の表示を、運転中の動作モードに対応する前記第２の料金情報の表示に切り替えさせることで、室内温度が設定温度に到達した後も、ユーザが関心を持つ情報を提供することができる。
【００７２】
また、上記態様において、例えば、
前記空調機が設置された部屋の室内温度を示す温度情報を所定のタイミングで取得させ、
取得した前記温度情報が、前記空調機の設定温度に到達した場合、
前記空調機が前記設定温度を維持するために必要な消費電力量に対応する電気料金を示す第２の料金情報を、前記複数の動作モード毎に取得させ、
前記複数の動作モードそれぞれに対応する前記時間情報及び前記第１の料金情報の表示を、各動作モードに対応する前記第２の料金情報の表示に切り替えさせてもよい。
【００７３】
空調機が設置された部屋の室内温度が設定温度に到達した場合、それまで表示していた前記空調機の状態が停止中から運転中に切り替わってから前記部屋の室内温度が前記設定温度に到達するまでの時間を示す時間情報は０分となり、前記空調機の状態が停止中から運転中に切り替わってから前記部屋の室内温度が前記設定温度に到達するまでの前記空調機の消費電力量に対応する電気料金は０円となる為、ユーザが関心を持つ情報ではない。
【００７４】
そこで、取得した前記温度情報が、前記空調機の設定温度に到達した場合、前記空調機が前記設定温度を維持するために必要な消費電力量に対応する電気料金を示す第２の料金情報を取得させ、少なくとも、運転中の動作モードに対応する前記時間情報及び前記第１の料金情報の表示を、運転中の動作モードに対応する前記第２の料金情報の表示に切り替えさせることで、室内温度が設定温度に到達した後も、ユーザが関心を持つ情報を提供することができる。
【００７５】
例えば、各動作モードにおいて前記空調機が前記設定温度を維持するために必要な消費電力量に対応する電気料金が異なる場合は、ユーザにどの動作モードを選択した方がよいかの指針を示すことができる。
【００７６】
その結果、パワフルモードを選択して急速に室内温度を設定温度に到達させ、その後、エコモードを選択して比較的安い電気料金で室内温度を設定温度に維持する、というような動作をユーザが選択できる。
【００７７】
また、上記態様において、例えば、
前記空調機の状態が停止中から運転中に切り替わってから前記部屋の室内温度が前記設定温度に到達するまでの時間を示す時間情報、及び前記空調機の状態が停止中から運転中に切り替わってから前記部屋の室内温度が前記設定温度に到達するまでの前記空調機の消費電力量に対応する電気料金を示す第１の料金情報を、前記複数の動作モード毎に、所定のタイミングで新たに取得させ、
表示されている前記複数の動作モードそれぞれに対応する前記時間情報及び前記第１の料金情報を、新たに取得したものに更新させてもよい。
【００７８】
また、上記態様において、例えば、
前記空調機の設定温度を示す設定情報、前記空調機が設置された部屋の室内温度を示す温度情報、前記空調機の複数の動作モード毎の空調制御速度及び空調制御単価を示す能力情報の取得は、前記空調制御システムからの取得であり、
前記端末機器のコンピュータに対して、
前記取得された設定情報、温度情報及び、能力情報を用いて、前記空調機の状態が停止中から運転中に切り替わってから前記部屋の室内温度が前記設定温度に到達するまでの時間を示す時間情報、及び前記空調機の状態が停止中から運転中に切り替わってから前記部屋の室内温度が前記設定温度に到達するまでの前記空調機の消費電力量に対応する電気料金を示す第１の料金情報を、前記複数の動作モード毎に生成させてもよい。
【００７９】
また、上記態様において、例えば、
前記空調機の状態が停止中から運転中に切り替わってから前記空調機が設置された部屋の室内温度が前記空調機の設定温度に到達するまでの時間を示す時間情報、及び前記空調機の状態が停止中から運転中に切り替わってから前記部屋の室内温度が前記設定温度に到達するまでの前記空調機の消費電力量に対応する電気料金を示す第１の料金情報の、前記複数の動作モード毎の取得は、前記空調制御システムからの取得であってもよい。
【００８０】
（実施の形態）
以下、本開示の空調制御システムについて説明する。本開示の空調制御システムは、ユーザが空調制御の命令を行う際に、時間と料金を確認しながらの動作モード選択を可能とするシステムである。
【００８１】
図１は、本開示による空調制御システムの全体構成を示す図である。空調制御システムは、コントローラ１００、エアコン２００、及びサーバ３００を備える。コントローラ１００、エアコン２００、及びサーバ３００は、ネットワークを介して相互に通信可能に接続されている。ネットワークとしては、例えば、インターネットや携帯電話通信網といった公衆通信網を採用できる。コントローラ１００とエアコン２００が同一の建物内にある場合、両者の間のネットワークとしてＬＡＮ（Ｌｏｃａｌ  Ａｒｅａ  Ｎｅｔｗｏｒｋ）や近距離無線通信方式を採用してもよい。
【００８２】
図１において、コントローラ１００は、エアコン２００を制御するためのＧＵＩ（Ｇｒａｐｈｉｃａｌ  Ｕｓｅｒ  Ｉｎｔｅｒｆａｃｅ）をユーザに提供する一以上の端末であり、例えば、スマートフォン、タブレット端末、パソコン、エアコンの専用リモコンで構成される。コントローラ１００は、エアコン２００と同一の建物内に存在していてもよいし、建物の外部に存在していてもよい。コントローラ１００は、ユーザから受け付けた操作に応じて、エアコン２００に制御命令を送信する。なお、制御命令の送信は、サーバ３００を介して行われてもよい。またコントローラ１００は、エアコン２００から取得した情報をユーザに提示する。なお、情報の取得は、サーバ３００を介して行われてもよい。特に、コントローラ１００がエアコン２００と同一の建物内に存在しないなどして直接通信できない場合、サーバ３００を介して情報を取得する方法が有用である。
【００８３】
図１において、エアコン２００は、温度調整機能を有する一以上の空調機である。エアコン２００はコントローラ１００やサーバ３００から制御命令を受信して動作を行う。また、コントローラ１００やサーバ３００に対して自身に関する情報を送信する。
【００８４】
図１において、サーバ３００は、例えば、一以上のコンピュータで構成されるクラウドサーバである。そして、サーバ３００は、コントローラ１００とエアコン２００の間の通信を仲介する。ここで、サーバ３００は、例えば、本開示におけるサービスをユーザに提供するサービスプロバイダが管理するサービスプロバイダサーバであってもよいし、エアコン２００の製造メーカが管理するメーカサーバであってもよい。いずれの場合でも、同様の効果が得られる。
【００８５】
図２は、本開示による空調制御システムの構成の第１例を示す図である。図２において、コントローラ１００は、表示手段１０１、入力制御手段１０２、表示制御手段１０３、蓄積手段１０４、機器管理手段１０５、機器制御手段１０６、通信制御手段１０７、及び、空調コスト算出手段１０８を備える。
【００８６】
表示手段１０１は、ユーザに対する画面の表示を行うものであり、例えば、タッチパネルを備えた液晶ディスプレイで構成される。
【００８７】
入力制御手段１０２は、表示手段１０１に表示された種々の画面に対してユーザが行う種々の操作を検知する。本開示では、表示手段１０１が備えるタッチパネルをユーザからの操作を受け付ける操作装置として採用する。よって、入力制御手段１０２は、タッチパネルを通じてユーザにより入力されたタップ、スワイプ、フリックといった操作を検知する。また、入力制御手段１０２は、表示手段１０１に表示されたボタンをタップする操作を検知すると、そのボタンがユーザにより選択されたと判定する。なお、操作装置として、キーボードやマウスが採用される場合、入力制御手段１０２は、キーボードに対するユーザの操作やマウスに対するユーザの操作を検知すればよい。
【００８８】
表示制御手段１０３は、蓄積手段１０４に蓄積された情報と、空調コスト算出手段１０８において算出された空調コストに基づいて、表示手段１０１に表示する画面を制御する。
【００８９】
蓄積手段１０４は、コントローラ１００が種々の処理を行う際に使用する種々の情報を蓄積するものであり、例えば、書き換え可能な不揮発性の記憶装置で構成される。
【００９０】
機器管理手段１０５は、通信制御手段１０７を通じて、コントローラ１００が操作可能なエアコン２００の一覧と、それらのエアコン２００に関する情報を取得し、取得した情報を蓄積手段１０４に格納する。
【００９１】
機器制御手段１０６は、入力制御手段１０２で検知したユーザの操作を、エアコン２００を制御するための制御コマンドに変換し、変換したコマンドを、通信制御手段１０７を通じて、エアコン２００に送信する。また、機器制御手段１０６は、通信制御手段１０７を通じて、エアコン２００の状態を取得し、蓄積手段１０４に格納する。
【００９２】
通信制御手段１０７は、コントローラ１００をネットワークに接続し、エアコン２００やサーバ３００と通信させる。
【００９３】
空調コスト算出手段１０８は、蓄積手段１０４に格納された情報に基づいて空調コストを算出する。空調コストとは、エアコン２００を動作させる上で必要な時間的、金銭的コストを示す情報である。エアコン２００が設置された部屋の室内温度とエアコン２００に設定された設定温度が異なる場合、空調コストは、例えば、エアコン２００の各動作モードにおいて室内温度を設定温度に到達させるまでに必要な時間と、消費する電力量に対応する電気料金となる。また、室内温度と設定温度が同じである場合、空調コストは、例えば、エアコン２００の各動作モードにおいて室内温度を設定温度に維持するために消費する１時間あたりの電力量に対応する電気料金となる。
【００９４】
図２において、エアコン２００は、制御実行手段２０１、状態管理手段２０２、蓄積手段２０４、室内温度取得手段２０５、及び、通信制御手段２０７を備える。制御実行手段２０１は、通信制御手段２０７を介して受け取った制御コマンドに基づき、エアコン２００の制御を行う。
【００９５】
状態管理手段２０２は、エアコン２００の現在の状態を蓄積手段２０４に格納する。
【００９６】
蓄積手段２０４は、エアコン２００が種々の処理を行う際に使用する種々の情報を蓄積するものであり、例えば、書き換え可能な不揮発性の記憶装置で構成される。
【００９７】
室内温度取得手段２０５は、エアコン２００が設置された室内の温度を取得し、蓄積手段２０４に格納するものであり、例えば、温度センサで構成される。通信制御手段２０７は、エアコン２００をネットワークに接続し、コントローラ１００やサーバ３００と通信させる。
【００９８】
図２において、サーバ３００は、機器管理手段３０１、機器制御手段３０２、蓄積手段３０４、及び、通信制御手段３０７を備える。
【００９９】
機器管理手段３０１は、通信制御手段３０７を通じて、コントローラ１００が操作可能なエアコン２００の一覧と、それらのエアコン２００に関する情報を取得し、取得した情報を蓄積手段３０４に格納する。
【０１００】
機器制御手段３０２は、エアコンを制御するための制御コマンドを、通信制御手段３１０７を通じてエアコン２００に送信する。
【０１０１】
蓄積手段３０４は、サーバ３００が種々の処理を行う際に使用する種々の情報を蓄積するものであり、例えば、書き換え可能な不揮発性の記憶装置で構成される。通信制御手段３０７は、サーバ３００をネットワークに接続し、コントローラ１００やエアコン２００と通信させる。
【０１０２】
図３は、本開示による空調制御システムの構成の第２例を示す図である。第２例の空調制御システムは、第１例の空調制御システムにおいてコントローラ１００が備えていた空調コスト算出手段１０８を、エアコン２００の空調コスト算出手段２０８として備えている点を特徴とする。
【０１０３】
空調コスト算出手段２０８は、エアコン２００の蓄積手段２０４に格納された情報に基づいて空調コストを算出する。
【０１０４】
コントローラ１００の表示制御手段１０３は、蓄積手段１０４に蓄積された情報と、空調コスト算出手段２０８において算出された空調コストに基づいて、表示手段１０１に表示する画面を制御する。
【０１０５】
図４は、本開示による空調制御システムの構成の第３例を示す図である。第３例の空調制御システムは、第１例の空調制御システムにおいてコントローラ１００が備えていた空調コスト算出手段１０８を、サーバ３００の空調コスト算出手段３０８として備えている点を特徴とする。
【０１０６】
空調コスト算出手段３０８は、サーバ３００の蓄積手段３０４に格納された情報に基づいて空調コストを算出する。
【０１０７】
コントローラ１００の表示制御手段１０３は、蓄積手段１０４に蓄積された情報と、空調コスト算出手段３０８において算出された空調コストに基づいて、表示手段１０１に表示する画面を制御する。
【０１０８】
図５は、機器テーブル５００のデータ構造の一例を示す図である。機器テーブル５００は、蓄積手段１０４と蓄積手段３０４に格納される。機器テーブル５００は、コントローラ１００で操作可能なエアコン２００の一覧を示すデータである。機器テーブル５００は、各行が一台のエアコン２００に相当し、各行は、「機器ＩＤ」、「型番」、「部屋名」、及び「機器アクセス方法」を備える。
【０１０９】
「機器ＩＤ」は、エアコン２００を一意に特定するための識別子である。この「機器ＩＤ」としては、例えば、エアコン２００の製造番号を採用できる。
【０１１０】
「型番」は、エアコン２００の種類を一意に特定するための識別子である。この「型番」としては、例えば、エアコン２００の製造元がエアコン２００の種類ごとに発行している品番を採用できる。
【０１１１】
「部屋名」は、エアコン２００が設置されている部屋を示す名称である。
【０１１２】
「機器アクセス方法」は、コントローラ１００とエアコン２００が通信する方法を示す情報である。この「機器アクセス方法」は、例えば、コントローラ１００とエアコン２００が直接通信を行う「機器直接」、コントローラ１００とエアコン２００がサーバ３００を介して通信を行う「サーバ経由」といった文字列である。
【０１１３】
図６は、機器状態テーブル６００のデータ構造の第１例を示す図である。機器状態テーブル６００は、エアコン２００の状態を示す情報である。第１例の機器状態テーブル６００は、蓄積手段１０４と蓄積手段３０４に格納される。機器状態テーブル６００は、各行が一台のエアコン２００に相当し、各行は、「機器ＩＤ」、「運転状態」、「動作モード」、「設定温度」及び「室内温度」を備える。
【０１１４】
「機器ＩＤ」は、エアコン２００が固有に持つ識別子である。この「機器ＩＤ」としては、例えば、エアコン２００の製造番号を採用できる。
【０１１５】
「運転状態」は、エアコン２００の運転状態を示す情報である。この「運転状態」は、エアコン２００が運転状態にあるとき「運転中」、停止状態にあるとき「停止中」となる。「運転状態」は、コントローラ１００の操作により変更することができる。
【０１１６】
「動作モード」は、エアコン２００がどの動作モードで運転するかを示す情報である。この「動作モード」としては、例えば、基準となる「通常モード」、「通常モード」よりも消費電力が少ない「エコモード」、「通常モード」よりも温度調整に必要な時間が短い「パワフルード」がある。「動作モード」は、エアコン２００が運転中である場合は現在動作中のモードを示し、エアコン２００が停止中である場合は次回運転開始時に実行される動作モードを示す。「動作モード」は、コントローラ１００の操作により変更することができる。
【０１１７】
「設定温度」は、エアコン２００に設定された、ユーザ所望の室内温度の目標値である。「設定温度」は、コントローラ１００の操作により変更することができる。
【０１１８】
「室内温度」は、エアコン２００が設置された部屋の温度である。この「室内温度」は、エアコン２００の室内温度取得手段２０５により計測される。
【０１１９】
図７は、機器状態テーブル６００のデータ構造の第２例を示す図である。第２例の機器状態テーブル６００は、第１例の機器状態テーブル６００に対して、行数が１であることを特徴とする。第２例の機器状態テーブル６００は、エアコン２００の蓄積手段２０４に格納される。つまり、第２例の機器状態テーブル６００は、自身が格納されているエアコン２００の情報のみを行として含む。
【０１２０】
図８は、空調コスト算出テーブル８００のデータ構造の第１例を示す図である。空調コスト算出テーブル８００は、次の三つの情報を算出するために必要な情報を格納するテーブルである。一つ目は、現在の室内温度をエアコン２００に設定された設定温度に到達させるためにエアコン２００の各動作モードが要する時間を示す所要時間情報である。二つ目は、現在の室内温度をエアコン２００に設定された設定温度に到達させるためにエアコン２００の各動作モードが消費する電力量に対応する電気料金を示す所要料金情報である。三つ目は、室内温度が設定温度に到達したのち、室内温度を設定温度に維持するためにエアコン２００の各動作モードが消費する単位時間あたりの電力量に対応する電気料金を示す維持単価情報である。所要時間情報、所要料金情報、及び、維持単価情報を組み合せたものが空調コストとなる。第１例の空調コスト算出テーブル８００は、空調制御システムの全体構成の第１例の場合、または、第３例の場合の場合に用いられ、空調制御システムの全体構成の第１例の場合、コントローラ１００の蓄積手段１０４に格納され、第３例の場合、サーバ３００の蓄積手段３０４に格納される。
【０１２１】
空調コスト算出テーブル８００は、各行がエアコン２００の種類に相当し、各行は、「型番」、「空調制御速度」、「空調制御単価」、及び「空調維持単価」を備える。
「型番」は、エアコン２００の種類を一意に特定するための識別子である。この「型番」としては、例えば、エアコン２００の製造元がエアコン２００の種類ごとに発行している品番を採用できる。
【０１２２】
「空調制御速度」は、現在の室内温度をエアコン２００に設定した設定温度に到達させるためにエアコン２００の各動作モードが要する時間を示す所要時間情報を算出するための情報である。この「空調制御速度」は、例えば、エアコン２００の各動作モードにおいて、室内温度を１度増減するために必要な時間であり、値はあらかじめシステムの構築者によって設定される。図８の例では、型番がＡＣ−００１の行の「空調制御速度」は、型番がＡＣ−００１の空調機が現在の温度を１度増減させるために必要な時間が、エコモードの場合は５分であり、通常モードの場合は４分であり、パワフルモードの場合は３分であることを示している。このとき、所要時間情報は、室内温度と設定温度の差の絶対値と空調制御速度の積により算出される。例えば、型番ＡＣ−００１の空調機において室内温度を１６度から２０度まで上昇させる場合、エコモードにおける所要時間は、｜１６−２０｜×５＝２０として算出された２０分、通常モードにおける所要時間は、｜１６−２０｜×４＝１６として算出された１６分、パワフルモードにおける所要時間は、｜１６−２０｜×３＝１２として算出された１２分となる。
【０１２３】
「空調制御単価」は、現在の室内温度をエアコン２００に設定した設定温度に到達させるためにエアコン２００の各動作モードが消費する電力量に対応する電気料金を示す所要料金情報を算出するための情報である。この「空調制御単価」は、例えば、エアコン２００の各動作モードにおいて、室内温度を１度増減するために必要な電気料金であり、値はあらかじめシステムの構築者によって設定される。図８の例では、型番がＡＣ−００１の行の「空調制御単価」は、型番がＡＣ−００１の空調機が現在の温度を１度増減させるために必要な電気料金が、エコモードの場合は２円であり、通常モードの場合は３円であり、パワフルモードの場合は４円であることを示している。このとき、所要料金情報は、室内温度と設定温度の差の絶対値と空調制御単価の積により算出される。例えば、型番ＡＣ−００１の空調機において室内温度を１６度から２０度まで上昇させる場合、エコモードにおける所要料金は、｜１６−２０｜×２＝８として算出された８円、通常モードにおける所要料金は、｜１６−２０｜×３＝１２として算出された１２円、パワフルモードにおける所要料金は、｜１６−２０｜×４＝１６として算出された１６円となる。
【０１２４】
「空調維持単価」は、室内温度が設定温度に到達したのち、室内温度を設定温度に維持するためにエアコン２００の各動作モードが消費する単位時間あたりの電力量に対応する電気料金を示す維持単価情報を算出するための情報である。この「空調維持単価」は、例えば、エアコン２００の各動作モードにおいて、現在の室内温度を１時間維持するために必要な電気代金であり、値はあらかじめシステムの構築者によって設定される。「空調維持単価」は、その他にも例えば、現在の室内温度を１分間維持するのに必要な電気代金でもよい。図８の例では、「空調維持単価」には現在の室内温度を１時間維持するのに必要な電気代金が設定されており、型番がＡＣ−００１の行の「空調維持単価」は、型番がＡＣ−００１の空調機が現在の温度を１時間維持するのに必要な電気料金が、エコモードの場合は１０円であり、通常モードの場合は１０円であり、パワフルモードの場合は１０円であることを示している。ここで、維持単価情報における単位時間と、「空調維持単価」における単位時間が同一である場合、「空調維持単価」が維持単価情報となる。単位時間が異なる場合、単位時間を維持単価情報に揃えた「空調維持単価」が維持単価情報となる。
【０１２５】
なお、図８の例では、空調コスト算出テーブル８００の「空調制御速度」「空調制御単価」「空調維持単価」を値として説明したが、それぞれ式であってもよい。このとき、「空調制御速度」は所要時間情報を算出する式であって、例えば、「（エコモードにおける所要時間）＝｜（室内温度）―（設定温度）｜×５」という式で表現される。また、「空調制御単価」は所要料金情報を算出する式であって、例えば、「（エコモードにおける所要料金）＝｜（室内温度）―（設定温度）｜×２」という式で表現される。また、「空調維持単価」は維持単価情報を算出する式であって、例えば、「（エコモードにおける維持単価）＝１０」という式で表現される。これらの式は一例であり、もちろん、他の式であってもよい。また、外気温や湿度などの変数を式に加えてもよい。これらの式は、システムの構築者によって設定される。この場合、空調コストを算出する方法として、より現実に則した式を採用できるため、空調コストをより精度よく算出できる。
【０１２６】
なお、空調コスト算出テーブル８００の「空調制御速度」「空調制御単価」「空調維持単価」に設定される式は、エアコン２００の過去の動作実績から計算して設定されてもよい。この場合、実態に即した式を利用できるため、空調コストをより精度よく算出できる。また、システム構築者が式を設定する手間を省くことができる。
【０１２７】
なお、上記の各構成において、空調コスト算出テーブル８００の行は、エアコン２００の型番に対応していたが、エアコン２００の機器ＩＤごとに用意されてもよい。この場合、同種のエアコン２００であっても設置された環境ごとに異なる空調コストを、より精度よく算出できる。
【０１２８】
図９は、空調コスト算出テーブル８００のデータ構造の第２例を示す図である。第２例の空調コスト算出テーブル８００は、第１例の空調コスト算出テーブル８００に対して、行数が１であることを特徴とする。第２例の空調コスト算出テーブル８００は、空調制御システムの全体構成の第２例の場合に用いられ、エアコン２００の蓄積手段２０４に蓄積される。つまり、第２例の空調コスト算出テーブル８００は、自身が格納されているエアコン２００の情報のみを行として含む。
【０１２９】
図１０は、トップ画面１０００の一例を示す図である。トップ画面１０００は、コントローラ１００で操作可能なエアコン２００の一覧を提示し、ユーザに操作したいエアコン２００を選択させる画面であり、表示手段１０１に表示される。
【０１３０】
トップ画面１０００には、コントローラ１００が操作可能なエアコン２００一台一台に対応する機器選択ボタン１００１が設けられている。
【０１３１】
機器選択ボタン１００１は、エアコン２００を操作するための画面を表示手段１０１に表示するためのボタンである。選択された機器選択ボタン１００１に対応するエアコン２００が停止中である場合、表示手段１０１には停止中操作画面１１００（図１１）が表示される。また、選択された機器選択ボタン１００１に対応するエアコン２００が運転中である場合、表示手段１０１には運転中操作画面１３００（図１３）が表示される。機器選択ボタン１００１は、部屋名表示領域１００２と、機器状態表示領域１００３を備える。
【０１３２】
部屋名表示領域１００２は、エアコン２００が設置されている部屋の名称を表示するための領域である。
【０１３３】
機器状態表示領域１００３は、エアコン２００の状態を表示するための領域である。例えば、エアコン２００が停止中である場合、室内温度と「停止中」という文字列が表示される。また、エアコン２００が室内温度を維持するように運転中である場合、室内温度と「温度維持中」という文字列が表示される。さらに、エアコン２００が室内温度を設定温度に到達させるために運転中である場合、室内温度、設定温度、及び、室内温度を設定温度に到達させるために必要な時間が表示される。図１０の例では、部屋名表示領域１００２に「リビング」と表示された機器選択ボタン１００１の機器状態表示領域１００３は、「現在の室内温度は２０度であり、空調機は室内温度を維持するために運転中である」ということを示している。また、図１０の例では、部屋名表示領域１００２に「和室」と表示された機器選択ボタン１００１の機器状態表示領域１００３は、「空調機は、現在１８度の室内温度を２０度に到達させるために運転中であり、完了まで残り１０分である」ということを示している。また、図１０の例では、部屋名表示領域１００２に「寝室」と表示された機器選択ボタン１００１の機器状態表示領域１００３は、「現在の室内温度は１６度であり、空調機は停止中である」ということを示している。
【０１３４】
図１１は、停止中操作画面１１００の一例を示す図である。停止中操作画面１１００は、停止中のエアコン２００に関する情報と、停止中のエアコン２００を操作するためのボタンをユーザに提示する画面であり、コントローラ１００の表示手段１０１に表示される。図１１の停止中操作画面１１００は、典型的には、図１０のトップ画面１０００において、寝室に設置された停止中のエアコン２００に対応した機器選択ボタン１００１が選択された場合に表示される。
【０１３５】
トップ画面切替ボタン１１０１は、表示手段１０１の表示画面をトップ画面１０００に切り替えるためのボタンである。
【０１３６】
部屋名表示領域１１０２は、エアコン２００が設置された部屋の名称を表示するための領域である。図１１の例では「寝室」となっており、これはエアコン２００が寝室に設置されていることを示す。
【０１３７】
運転状態表示領域１１０３は、エアコン２００が運転中か否かを示す文字列を表示するための領域である。例えば、エアコンが運転している場合「運転中」、運転していない場合「停止中」と表示される。
【０１３８】
室内温度表示領域１１０４は、エアコン２００が設置された部屋の室内温度を表示するための領域である。図１１の例では、寝室の温度が１６度であることを示している。
【０１３９】
設定温度表示領域１１０５は、設定温度、つまりユーザが所望する室内温度を表示するための領域である。図１１の例では、寝室の設定温度が２１度であることを示している。
【０１４０】
設定温度変更ボタン１１０６は、設定温度を変更するためのボタンである。このボタンが選択されることで、設定温度の増減を行うことができる。設定温度が増減されることにより、設定温度表示領域１１０５に表示される数値が変更され、エアコン２００に対して設定温度を変更するための制御コマンドが送信される。図１１の例では、設定温度変更ボタン１１０６は、左右対となった二つの三角形ボタンで構成され、右向き三角のボタンが選択されることで設定温度が増加し、左向き三角のボタンが選択されることで設定温度が減少する。
【０１４１】
メッセージ表示領域１１０７は、ユーザに対してエアコン２００の動作状態を伝えたり、画面の操作を促したりするメッセージを表示するための領域である。図１１の例では、メッセージ表示領域１１０７に「何分後に設定温度にしますか？」と表示されており、室内温度を設定温度に到達させるまでの時間が記載された、エコモード運転ボタン１１１０、通常モード運転ボタン１１１１、パワフルモード運転ボタン１１１２のいずれかを選択することをユーザに促している。
【０１４２】
エコモード運転ボタン１１１０は、エアコン２００をエコモードで運転し、表示手段１０１の表示画面を運転中操作画面１３００に切り替えるためのボタンである。エコモード運転ボタン１１１０には、エアコン２００をエコモードで運転する際の空調コストが表示される。図１１の例では、空調コストとして、室内温度を設定温度に到達させるために必要な時間と電気料金が表示されている。この例では、エアコン２００がエコモードで室内温度を設定温度に到達させるために必要な時間は２５分であり、必要な電気料金は１０円である。
【０１４３】
通常モード運転ボタン１１１１は、エアコン２００を通常モードで運転し、表示手段１０１の表示画面を運転中操作画面１３００に切り替えるためのボタンである。通常モード運転ボタン１１１１には、エアコン２００を通常モードで運転する際の空調コストが表示される。図１１の例では、空調コストとして、室内温度を設定温度に到達させるために必要な時間と電気料金が表示されている。この例では、エアコン２００が通常モードで室内温度を設定温度に到達させるために必要な時間は２０分であり、必要な電気料金は１５円である。
【０１４４】
パワフルモード運転ボタン１１１２は、エアコン２００をパワフルモードで運転し、表示手段１０１の表示画面を運転中操作画面１３００に切り替えるためのボタンである。パワフルモード運転ボタン１１１２には、エアコン２００をパワフルモードで運転する際の空調コストが表示される。図１１の例では、空調コストとして、室内温度を設定温度に到達させるために必要な時間と電気料金が表示されている。この例では、エアコン２００がパワフルモードで室内温度を設定温度に到達させるために必要な時間は１５分であり、電気料金は２０円である。
【０１４５】
図１１において、エアコン２００の各動作モードに対応する運転ボタンと空調コストを関連付けて表示することにより、ユーザに対してどの動作モードを選択した方が良いかの指針を示すことができる。また、空調コストを各動作モードに対応する運転ボタンの枠内に表示させることで、動作モードと空調コストの関連性をユーザが把握できる状態を維持しつつ、表示領域を節約できる。
【０１４６】
図１２は、停止中操作画面１１００のその他の一例を示す図である。図１２の停止中操作画面１１００は、図１１の停止中操作画面１１００に対して、パワフルモード運転ボタン１１１２が通常モード運転ボタン１１１１とは異なる色で表示される点を特徴とする。図１２の構成要素のうち、図１１と同じ番号が付与された構成要素については、同一のものであるため説明を省略する。
【０１４７】
図１２の停止中操作画面１１００は、典型的には、図１１の停止中操作画面１１００において、ユーザが設定温度を１度下げるように設定温度変更ボタン１１０６を選択した場合に表示される。図１２の停止中操作画面１１００は、図１１の停止中操作画面１１００に対して、設定温度が２１度から２０度に低下し、室内温度を設定温度に到達させるための時間が、通常モードでは２０分から１６分、パワフルモードでは１５分から１２分に短縮されている。この際、パワフルモードにおける時間と通常モードにおける時間の差が５分未満となったため、パワフルモード運転ボタン１１１２が灰色で表示されている。
【０１４８】
図１２において、パワフルモードで室内温度を設定温度に到達させるための時間が、通常モードに比べて所定時間以上早くない、つまり、パワフルモードを選択してもユーザにとって室内温度が設定温度に到達するまでの時間が短くなるメリットが小さい場合に、パワフルモード運転ボタン１１１２を通常モード運転ボタン１１１１とは異なる色で表示することによって、ユーザにパワフルモードを選択しないよう注意を促すことができる。
【０１４９】
なお、本実施例においては、通常モードにおける時間とパワフルモードにおける時間を比較する際の閾値として「５分」を採用しているが、これは一例であり、多くのユーザがパワフルモードを選択する意味があると感じる値であれば、他の値であっても同様の効果が得られる。
【０１５０】
なお、本実施例においては、通常モードにおける時間とパワフルモードにおける時間を比較する際の閾値として、あらかじめシステムの構成者が設定した全ユーザ共通の値を用いているが、この値はユーザごとに個別に設定されてもよい。例えば、１分でも早ければパワフルモードを選択する意味があると感じるユーザであれば「１分」、１０分以上早くなければパワフルモードを選択する意味がないと感じるユーザであれば「１０分」と設定することができる。パワフルモードでの時間と通常モードでの時間を比較する際の閾値をユーザごとに設定できることによって、個々のユーザの感性に適した画面表示が可能になる。もちろん、初期値としては、多くのユーザがパワフルモードを選択する意味があると感じる値を設定しておけばよい。これにより、ユーザが個別に設定を行わない場合であっても、全ユーザ共通の値を用いた時と同様の効果を得られる。
【０１５１】
なお、本実施例においては、パワフルモードのメリットが小さい場合に変更するパワフルモード運転ボタン１１１２の表示色として「灰色」を採用しているが、これは一例であり、通常モード運転ボタン１１１１と異なる色であり、かつ、多くのユーザがパワフルモードのメリットが小さいと認識できる色であれば、他の色であっても同様の効果が得られる。灰色以外の色としては、黒や紺、半透明などが好適である。
【０１５２】
なお、本実施例においては、パワフルモードのメリットが小さい場合に変更するパワフルモード運転ボタン１１１２の表示色として、あらかじめシステムの構成者が設定した全ユーザ共通の色を用いているが、この色はユーザごとに個別に設定されてもよい。パワフルモードのメリットが小さい場合のパワフルモード運転ボタン１１１２の表示色をユーザごとに設定できることによって、個々のユーザの感性に適した画面表示が可能になる。もちろん、初期値としては、多くのユーザがパワフルモードのメリットが小さいと認識できる色を設定しておけばよい。これにより、ユーザが個別に設定を行わない場合であっても、全ユーザ共通の値を用いた時と同様の効果を得られる。
【０１５３】
図１３は、運転中操作画面１３００の一例を示す図である。運転中操作画面１３００は、運転中のエアコン２００に関する情報と、運転中のエアコン２００を操作するためのボタンをユーザに提示する画面であり、表示手段１０１に表示される。図１３の運転中操作画面１３００は、典型的には、図１２の停止中操作画面１１００において、通常モード運転ボタン１１１１が選択され、エアコン２００が通常モードで運転している場合に表示される。
【０１５４】
空調コスト表示領域１３０１は、エアコン２００の現在の動作モードにおける空調コストを表示するための領域であり、現在の動作モードに対応する運転ボタンと同一の領域に表示される。この際、現在の動作モードに対応する運転ボタンは消去される。図１３の例では、エアコン２００が通常モードで運転中であるため、通常モード運転ボタン１１１１が消去され、同一領域に空調コスト表示領域１３０１が表示されている。また、図１３の例では、空調コスト表示領域１３０１の空調コストとしては、室内温度を設定温度に到達させるために必要な時間と電気料金が表示されている。
【０１５５】
停止ボタン１３０２は、操作対象のエアコン２００を停止し、表示手段１０１の表示画面を停止中操作画面１１００に切り替えるためのボタンである。
【０１５６】
図１３の構成要素のうち、図１１と同じ番号が付与された構成要素については、同一のものであるため説明を省略する。
【０１５７】
図１３において、通常モードで運転中に、通常モード運転ボタン１１１１を消去させることで、運転中の動作モードに対応する運転ボタンを選択してもエアコン２００の動作が変わらないことを確実にユーザに伝えることができる。さらに、通常モード運転ボタン１１１１と同一領域に空調コスト表示領域１３０１が表示されることで、動作モードと空調コストの関連性をユーザが把握できる状態を維持しつつ、表示領域を節約できる。
【０１５８】
なお、図１３の例では、エアコン２００が通常モードで運転中の場合で説明をしたが、エコモードやパワフルモードで運転中の場合でも同様である。エアコン２００がエコモードで運転中の場合、エコモード運転ボタン１１１０が消去され、同一領域に空調コスト表示領域１３０１が表示される。この際、空調コスト表示領域１３０１には、エアコン２００がエコモードで運転する場合における空調コストが表示される。また、エアコン２００がパワフルモードで運転中の場合、パワフルモード運転ボタン１１１２が消去され、同一領域に空調コスト表示領域１３０１が表示される。この際、空調コスト表示領域１３０１には、エアコン２００がパワフルモードで運転する場合における空調コストが表示される。
【０１５９】
図１４は、トップ画面１０００のその他の一例を示す図である。図１４のトップ画面１０００は、典型的には、図１３の運転中操作画面１３００において、トップ画面切替ボタン１１０１が選択された場合に表示される。図１４のトップ画面１０００は、図１０のトップ画面１０００に対して、機器状態表示領域１００３の内容が変更されている点を特徴とする。これは、寝室に設置されたエアコン２００が運転中から停止中に変更されたためである。
【０１６０】
図１４の構成要素のうち、図１０と同じ番号が付与された構成要素については、同一のものであるため説明を省略する。
【０１６１】
図１５は、停止中のエアコン２００を運転状態にするための画面フローの一例を示す図である。以下では、図１０、図１１、図１２、図１３、図１４を用いて図１５の説明を行う。
【０１６２】
まず、図１０のトップ画面１０００において、寝室に設置された停止中のエアコン２００に対応する機器選択ボタン１００１が選択されることで、図１１の停止中操作画面１１００が表示される（Ｃ１５０１）。
【０１６３】
次に、図１１の停止中操作画面１１００において、設定温度変更ボタン１１０６が選択されることで図１２の停止中操作画面１１００が表示される（Ｃ１５０２）。この際、設定温度が変更されたため、設定温度表示領域１１０５、エコモード運転ボタン１１１０、通常モード運転ボタン１１１１、パワフルモード運転ボタン１１１２の表示内容が更新される。また、設定温度が変更されたことにより、パワフルモードで室内温度を設定温度に到達させるための時間と通常モードでの時間の差が５分未満となったため、パワフルモード運転ボタン１１１２が灰色で表示されている。
【０１６４】
次に、図１２の停止中操作画面１１００において、通常モード運転ボタン１１１１が選択されることで、操作対象のエアコン２００が通常モードで運転開始され、図１３の運転中操作画面１３００が表示される（Ｃ１５０３）。
【０１６５】
次に、図１３の運転中操作画面１３００において、トップ画面切替ボタン１１０１が選択されることで、図１４のトップ画面１０００が表示される（Ｃ１５０４）。
【０１６６】
図１５において、設定温度変更ボタン１１０６が選択された際に、設定温度表示領域１１０５、エコモード運転ボタン１１１０、通常モード運転ボタン１１１１、パワフルモード運転ボタン１１１２の表示内容を更新されることにより、ユーザはエアコン２００の設定温度を何度にしたら、どの程度電気料金がかかるのか、どの程度時間がかかるのかを確認しながら、設定温度を何度にするのかを決めることができる。
【０１６７】
図１６は、運転中のエアコン２００を停止状態にするための画面フローの一例を示す図である。以下では、図１２、図１３、図１４を用いて図１６の説明を行う。
まず、図１４のトップ画面１０００において、寝室に設置された運転中のエアコン２００に対応する機器選択ボタン１００１が選択されることで、図１３の運転中操作画面１３００が表示される（Ｃ１６０１）。
【０１６８】
次に、図１３の運転中操作画面１３００において、停止ボタン１３０２が選択されることで、操作対象のエアコン２００は停止され、図１２の停止中操作画面１１００が表示される（Ｃ１６０２）。
【０１６９】
図１７は、運転中操作画面１３００のその他の一例を示す図である。図１７の運転中操作画面１３００は、図１３の運転中操作画面１３００に対して、エコモード運転ボタン１１１０が通常モード運転ボタン１１１１とは異なる色で表示される点を特徴とする。
【０１７０】
図１７の構成要素のうち、図１３と同じ番号が付与された構成要素については、同一のものであるため説明を省略する。
【０１７１】
図１７の運転中操作画面１３００は、典型的には、図１３の運転中操作画面１３００において、時間が経過し、室内温度が２度上昇した場合に表示される。図１７の運転中操作画面１３００は、図１３の運転中操作画面１３００に対して、室内温度が１６度から１８度に上昇し、室内温度を設定温度に到達させるための電気料金が、通常モードでは１２円から６円、エコモードでは８円から４円に変化している。この際、エコモードにおける電気料金と通常モードにおける電気料金の差が３円未満となったため、エコモード運転ボタン１１１０が灰色で表示されている。
【０１７２】
図１７において、エコモードで室内温度を設定温度に到達させるための電気料金が、通常モードに比べて所定電気料金以上安くない、つまり、エコモードを選択してもユーザにとって室内温度が設定温度に到達するまでの電気料金が安くなるメリットが小さい場合に、エコモード運転ボタン１１１０を通常モード運転ボタン１１１１とは異なる色で表示することによって、ユーザにエコモードを選択しないよう注意を促すことができる。
【０１７３】
なお、本実施例においては、通常モードにおける電気料金とエコモードにおける電気料金を比較する際の閾値として「３円」を採用しているが、これは一例であり、多くのユーザがエコモードを選択する意味があると感じる値であれば、他の値であっても同様の効果が得られる。
【０１７４】
なお、本実施例においては、通常モードにおける電気料金とエコモードにおける電気料金を比較する際の閾値として、あらかじめシステムの構成者が設定した全ユーザ共通の値を用いているが、この値はユーザごとに個別に設定されてもよい。例えば、１円でも安ければエコモードを選択する意味があると感じるユーザであれば「１円」、１０円以上安くなければエコモードを選択する意味がないと感じるユーザであれば「１０円」と設定することができる。エコモードでの電気料金と通常モードでの電気料金を比較する際の閾値をユーザごとに設定できることによって、個々のユーザの感性に適した画面表示が可能になる。もちろん、初期値としては、多くのユーザがエコモードを選択する意味があると感じる値を設定しておけばよい。これにより、ユーザが個別に設定を行わない場合であっても、全ユーザ共通の値を用いた時と同様の効果を得られる。
【０１７５】
なお、本実施例においては、エコモードのメリットが小さい場合に変更するエコモード運転ボタン１１１０の表示色として「灰色」を採用しているが、これは一例であり、通常モード運転ボタン１１１１と異なる色であり、かつ、多くのユーザがエコモードのメリットが小さいと認識できる色であれば、他の色であっても同様の効果が得られる。灰色以外の色としては、黒や紺、半透明などが好適である。
【０１７６】
なお、本実施例においては、エコモードのメリットが小さい場合に変更するエコモード運転ボタン１１１０の表示色として、あらかじめシステムの構成者が設定した全ユーザ共通の色を用いているが、この色はユーザごとに個別に設定されてもよい。エコモードのメリットが小さい場合のエコモード運転ボタン１１１０の表示色をユーザごとに設定できることによって、個々のユーザの感性に適した画面表示が可能になる。もちろん、初期値としては、多くのユーザがエコモードのメリットが小さいと認識できる色を設定しておけばよい。これにより、ユーザが個別に設定を行わない場合であっても、全ユーザ共通の色を用いた時と同様の効果を得られる。
【０１７７】
図１８は、室内温度と設定温度が同じ場合における、運転中操作画面１３００の一例を示す図である。図１８の運転中操作画面１３００は、典型的には、図１７の運転中操作画面１３００において、時間が経過し、室内温度が設定温度に到達した場合に表示される。図１８の運転中操作画面１３００は、図１７の運転中操作画面１３００に対して、エコモード運転ボタン１１１０、空調コスト表示領域１３０１、及び、パワフルモード運転ボタン１１１２に表示される空調コストが室内温度を維持するための電気料金に変更されている点を特徴とする。
【０１７８】
図１８の構成要素のうち、図１３と同じ番号が付与された構成要素については、同一のものであるため説明を省略する。
【０１７９】
図１８の例では、室内温度が設定温度と同じ２０度に到達したため、エコモード運転ボタン１１１０、空調コスト表示領域１３０１、及び、パワフルモード運転ボタン１１１２には、空調コストとして、室内温度を維持するための電気料金が表示されている。ここで、空調コスト表示領域１３０１は、エアコン２００が通常モードで室内温度を維持するために必要な電気料金が１時間あたり１０円であることを示している。同様に、エコモード運転ボタン１１１０は、エアコン２００がエコモードで室内温度を維持するために必要な電気料金が１時間あたり１０円であることを示している。また同様に、パワフルモード運転ボタン１１１２は、エアコン２００がパワフルモードで室内温度を維持するために必要な電気料金が１時間あたり１０円であることを示している。
【０１８０】
図１８において、室内温度が設定温度に到達した際に、エコモード運転ボタン１１１０、空調コスト表示領域１３０１、及び、パワフルモード運転ボタン１１１２に表示される空調コストが室内温度を維持するための電気料金に変更されることで、到達後もユーザにとって関心のある情報を表示し続けることができる。
【０１８１】
また、図１８の例では、エアコン２００がエコモードによって室内温度を維持するために必要な電気料金が通常モードによる料金よりも３円以上安くないため（エコモードでも通常モードでも１０円）、エコモード運転ボタン１１１０は灰色で表示されている。
【０１８２】
なお、図１８の例では、エアコン２００がエコモードによって室内温度を維持するために必要な電気料金と通常モードによる料金を比較する際の閾値として、室内温度を設定温度に到達させる場合と同じ値を用いているが、異なる値を用いてもよい。異なる値としては、「１円」など小さい値が好適である。なぜならば、室内温度が設定温度に到達している場合においては、室内温度を設定温度に到達させるために必要な時間が長いというエコモードのデメリットを考慮する必要がなくなるため、１円でも安いというメリットがあるならば、多くのユーザにとってエコモードを選択する意味があるためである。
【０１８３】
図１８の例では、エアコン２００がパワフルモードによって室内温度を設定温度にするために必要な時間が通常モードによる時間よりも５分以上早くないため（パワフルモードでも通常モードでも０分）、パワフルモード運転ボタン１１１２は灰色で表示されている。
【０１８４】
なお、図１８の例では、エアコン２００が通常モードで運転中の場合で説明をしたが、エコモードやパワフルモードで運転中の場合でも同様である。エアコン２００がエコモードで運転中の場合、運転中操作画面１３００には、空調コスト表示領域１３０１、通常モード運転ボタン１１１１、及び、パワフルモード運転ボタン１１１２が、室内温度を維持するための電気料金とともに表示される。また、エアコン２００がパワフルモードで運転中の場合、運転中操作画面１３００には、エコモード運転ボタン１１１０、通常モード運転ボタン１１１１、及び、空調コスト表示領域１３０１が、室内温度を維持するための電気料金とともに表示される。
【０１８５】
図１９は、室内温度と設定温度が同じ場合における、停止中操作画面１１００の一例を示す図である。図１９の停止中操作画面１１００は、典型的には、図１８の運転中操作画面１３００において、ユーザが停止ボタン１３０２を選択した場合に表示される。
【０１８６】
図１９の構成要素のうち、図１１と同じ番号が付与された構成要素については、同一のものであるため説明を省略する。
【０１８７】
図１９の停止中操作画面１１００は、図１１の停止中操作画面１１００に対して、エコモード運転ボタン１１１０、通常モード運転ボタン１１１１、及び、パワフルモード運転ボタン１１１２に表示される空調コストが室内温度を維持するための電気料金に変更されている点を特徴とする。
【０１８８】
図２０は、室内温度が設定温度に到達した場合に、運転中のエアコン２００を停止するための画面フローの一例を示す図である。以下では、図１３、図１４、図１７、図１８、図１９を用いて図２０の説明を行う。
【０１８９】
まず、図１４のトップ画面１０００において、寝室に設置された運転中のエアコン２００に対応する機器選択ボタン１００１が選択されることで図１３の運転中操作画面１３００が表示される（Ｃ２００１）。
【０１９０】
次に、図１３の運転中操作画面１３００において、時間が経過して室内温度が上昇することにより、図１７の運転中操作画面１３００が表示される（Ｃ２００２）。この際、時間が変化しているため、エコモード運転ボタン１１１０、空調コスト表示領域１３０１、及び、パワフルモード運転ボタン１１１２の表示内容が更新される。また、室内温度が変化しているため、室内温度表示領域１１０４に表示される数値が更新される。また、室内温度が上昇したことにより、エコモードで室内温度を設定温度に到達させるための電気料金と通常モードでの電気料金の差が３円未満となったため、エコモード運転ボタン１１１０が灰色で表示されている。
【０１９１】
次に、図１７の運転中操作画面１３００において、さらに時間が経過して室内温度が設定温度に到達することで、図１８の運転中操作画面１３００が表示される（Ｃ２００３）。室内温度が設定温度に到達したため、エコモード運転ボタン１１１０、空調コスト表示領域１３０１、及び、パワフルモード運転ボタン１１１２に表示される空調コストが室内温度を維持するための電気料金に変更されている。
【０１９２】
次に、図１８の運転中操作画面１３００において、停止ボタン１３０２が選択されることで、エアコン２００は停止され、図１９の停止中操作画面１１００が表示される（Ｃ２００４）。
【０１９３】
図２１は、運転中操作画面１３００のその他の一例である。図２１の運転中操作画面１３００は、典型的には、図１３の運転中操作画面１３００において、ユーザが設定温度を１度上げるように設定温度変更ボタン１１０６を選択した場合に表示される。図２１の運転中操作画面１３００は、図１３の運転中操作画面１３００に対して、設定温度表示領域１１０５の値が変化している点、パワフルモード運転ボタン１１１２が通常モード運転ボタン１１１１と同じ色で表示される点を特徴とする。
【０１９４】
図２１の構成要素のうち、図１３と同じ番号が付与された構成要素については、同一のものであるため説明を省略する。
【０１９５】
図２１の例では、図１３から設定温度が１度上昇したことにより、パワフルモードで室内温度を設定温度に到達させるために必要な時間が通常モードより５分以上早くなったため、パワフルモード運転ボタン１１１２の色は灰色から、通常モードと同じ白色に変更されている。
【０１９６】
図２２は、運転中のエアコン２００の設定温度を変更するための画面フローの一例を示す図である。以下では、図１３、図１４、図２１を用いて図２２の説明を行う。
【０１９７】
まず、図１４のトップ画面１０００において、寝室に設置された運転中のエアコン２００に対応する機器選択ボタン１００１が選択されることで、図１３の運転中操作画面１３００が表示される（Ｃ２２０１）。
【０１９８】
次に、図１３の運転中操作画面１３００において、設定温度変更ボタン１１０６が設定温度を１度上昇させるように選択されることで、図２１の運転中操作画面１３００が表示される（Ｃ２２０２）。この際、設定温度を１度上昇させたことにより、パワフルモードで室内温度を設定温度に到達させるために必要な時間が通常モードより５分以上早くなったため、パワフルモード運転ボタン１１１２の色が灰色から、通常モード運転ボタン１１１１と同じ白色に変更されている。
【０１９９】
図２３は、運転中操作画面１３００のその他の一例である。図２３の運転中操作画面１３００は、典型的には、図１３の運転中操作画面１３００において、エコモード運転ボタン１１１０が選択された場合に表示される。図２３の運転中操作画面１３００は、図１３の運転中操作画面１３００に対して、空調コスト表示領域１３０１が消去され、同一領域に通常モード運転ボタン１１１１が表示される点、エコモード運転ボタン１１１０が消去され、同一領域に空調コスト表示領域１３０１が表示される点を特徴とする。
【０２００】
図２３の構成要素のうち、図１３と同じ番号が付与された構成要素については、同一のものであるため説明を省略する。
【０２０１】
図２４は、運転中のエアコン２００の動作モードを変更するための画面フローの一例を示す図である。以下では、図１３、図１４、図２３を用いて図２４の説明を行う。
【０２０２】
まず、図１４のトップ画面１０００において、寝室に設置された運転中のエアコン２００に対応する機器選択ボタン１００１が選択されることで、図１３の運転中操作画面１３００が表示される（Ｃ２４０１）。
【０２０３】
次に、図１３の運転中操作画面１３００において、エコモード運転ボタン１１１０が選択されることで、図２３の運転中操作画面１３００が表示される（Ｃ２４０２）。
【０２０４】
図２５は、図１２に示す停止中操作画面１１００の別例である。図２５の停止中操作画面１１００は、図１２の停止中操作画面１１００に対して、パワフルモード運転ボタン１１１２が灰色で表示される代わりに消去される点を特徴とする。
【０２０５】
図２５の構成要素のうち、図１２と同じ番号が付与された構成要素については、同一のものであるため説明を省略する。
【０２０６】
図２５において、パワフルモードを選択してもユーザにとって室内温度が設定温度に到達するまでの時間が短くなるメリットが小さい場合に、パワフルモード運転ボタン１１１２を消去することによって、ユーザがパワフルモードを選択することを防止することができる。
【０２０７】
なお、図２５の例では、消去されたボタンの下に位置する構成要素を、消去されたボタンの分だけ上に詰めているが、元の位置にとどめてもよい。この場合、エコモード、通常モード、パワフルモードの運転ボタンの位置が固定されるため、ユーザが誤って本来選択したかったボタンとは異なるボタンを選択してしまう可能性を低減することができる。
なお、図２５の例では、パワフルモード運転ボタン１１１２を消去するだけであったが、消去したボタンの分だけ通常モード運転ボタン１１１１を大きくしてもよい。この場合、パワフルモード運転ボタン１１１２が存在した位置にも通常モード運転ボタン１１１１が存在するため、メリットが小さいパワフルモードの代わりに通常モードが推奨されているということを、ユーザに効果的に伝えることができる。
【０２０８】
図２６は、図１３に示す運転中操作画面１３００の別例である。図２６の運転中操作画面１３００は、図１３の運転中操作画面１３００に対して、パワフルモード運転ボタン１１１２が灰色で表示される代わりに消去される点を特徴とする。
【０２０９】
図２６の構成要素のうち、図１３と同じ番号が付与された構成要素については、同一のものであるため説明を省略する。
【０２１０】
図２６において、パワフルモードを選択してもユーザにとって室内温度が設定温度に到達するまでの時間が短くなるメリットが小さい場合に、パワフルモード運転ボタン１１１２を消去することによって、ユーザがパワフルモードを選択することを防止することができる。
【０２１１】
なお、図２６の例では、消去されたボタンの下に位置する構成要素を、消去されたボタンの分だけ上に詰めているが、元の位置にとどめてもよい。この場合、エコモード、通常モード、パワフルモードの運転ボタンの位置が固定されるため、ユーザが誤って本来選択したかったボタンとは異なるボタンを選択してしまう可能性を低減することができる。
【０２１２】
図２７は、図１７に示す運転中操作画面１３００の別例である。図２７の運転中操作画面１３００は、図１７の運転中操作画面１３００に対して、エコモード運転ボタン１１１０が灰色で表示される代わりに消去される点、パワフルモード運転ボタン１１１２が灰色で表示される代わりに消去される点を特徴とする。
【０２１３】
図２７の構成要素のうち、図１７と同じ番号が付与された構成要素については、同一のものであるため説明を省略する。
【０２１４】
図２７において、エコモードを選択してもユーザにとって室内温度が設定温度に到達するまでの電気料金が安くなるメリットが小さい場合に、エコモード運転ボタン１１１０を消去することによって、ユーザがエコモードを選択することを防止することができる。また、パワフルモードを選択してもユーザにとって室内温度が設定温度に到達するまでの時間が短くなるメリットが小さい場合に、パワフルモード運転ボタン１１１２を消去することによって、ユーザがパワフルモードを選択することを防止することができる。
【０２１５】
なお、図２７の例では、消去されたボタンの下に位置する構成要素を、消去されたボタンの分だけ上に詰めているが、元の位置にとどめてもよい。この場合、エコモード、通常モード、パワフルモードの運転ボタンの位置が固定されるため、ユーザが誤って本来選択したかったボタンとは異なるボタンを選択してしまう可能性を低減することができる。
【０２１６】
図２８は、図１８に示す運転中操作画面１３００の別例である。図２８の運転中操作画面１３００は、図１８の運転中操作画面１３００に対して、エコモード運転ボタン１１１０が灰色で表示される代わりに消去される点、パワフルモード運転ボタン１１１２が灰色で表示される代わりに消去される点を特徴とする。
【０２１７】
図２８の構成要素のうち、図１８と同じ番号が付与された構成要素については、同一のものであるため説明を省略する。
【０２１８】
図２８において、エコモードを選択してもユーザにとって室内温度が設定温度に到達するまでの電気料金が安くなるメリットが小さい場合に、エコモード運転ボタン１１１０を消去することによって、ユーザがエコモードを選択することを防止することができる。
【０２１９】
また、パワフルモードを選択してもユーザにとって室内温度が設定温度に到達するまでの時間が短くなるメリットが小さい場合に、パワフルモード運転ボタン１１１２を消去することによって、ユーザがパワフルモードを選択することを防止することができる。
【０２２０】
なお、図２８の例では、消去されたボタンの下に位置する構成要素を、消去されたボタンの分だけ上に詰めているが、元の位置にとどめてもよい。この場合、エコモード、通常モード、パワフルモードの運転ボタンの位置が固定されるため、ユーザが誤って本来選択したかったボタンとは異なるボタンを選択してしまう可能性を低減することができる。
【０２２１】
図２９は、図１９に示す停止中操作画面１１００の別例である。図２９の停止中操作画面１１００は、図１９の停止中操作画面１１００に対して、エコモード運転ボタン１１１０が灰色で表示される代わりに消去される点、パワフルモード運転ボタン１１１２が灰色で表示される代わりに消去される点を特徴とする。
【０２２２】
図２９の構成要素のうち、図１９と同じ番号が付与された構成要素については、同一のものであるため説明を省略する。
【０２２３】
図２９において、エコモードを選択してもユーザにとって室内温度が設定温度に到達するまでの電気料金が安くなるメリットが小さい場合に、エコモード運転ボタン１１１０を消去することによって、ユーザがエコモードを選択することを防止することができる。
【０２２４】
また、パワフルモードを選択してもユーザにとって室内温度が設定温度に到達するまでの時間が短くなるメリットが小さい場合に、パワフルモード運転ボタン１１１２を消去することによって、ユーザがパワフルモードを選択することを防止することができる。
【０２２５】
なお、図２９の例では、消去されたボタンの下に位置する構成要素を、消去されたボタンの分だけ上に詰めているが、元の位置にとどめてもよい。この場合、エコモード、通常モード、パワフルモードの運転ボタンの位置が固定されるため、ユーザが誤って本来選択したかったボタンとは異なるボタンを選択してしまう可能性を低減することができる。
【０２２６】
なお、図２９の例では、エコモード運転ボタン１１１０を消去するだけであったが、消去したボタンの分だけ通常モード運転ボタン１１１１を大きくしてもよい。この場合、エコモード運転ボタン１１１０が存在した位置にも通常モード運転ボタン１１１１が存在するため、メリットが小さいエコモードの代わりに通常モードが推奨されているということを、ユーザに効果的に伝えることができる。
【０２２７】
なお、図２９の例では、パワフルモード運転ボタン１１１２を消去するだけであったが、消去したボタンの分だけ通常モード運転ボタン１１１１を大きくしてもよい。この場合、パワフルモード運転ボタン１１１２が存在した位置にも通常モード運転ボタン１１１１が存在するため、メリットが小さいパワフルモードの代わりに通常モードが推奨されているということを、ユーザに効果的に伝えることができる。
【０２２８】
図３０は、図２３に示す運転中操作画面１３００の別例である。図３０の運転中操作画面１３００は、図２３の運転中操作画面１３００に対して、パワフルモード運転ボタン１１１２が灰色で表示される代わりに消去される点を特徴とする。
【０２２９】
図３０の構成要素のうち、図２３と同じ番号が付与された構成要素については、同一のものであるため説明を省略する。
【０２３０】
図３０において、パワフルモードを選択してもユーザにとって室内温度が設定温度に到達するまでの時間が短くなるメリットが小さい場合に、パワフルモード運転ボタン１１１２を消去することによって、ユーザがパワフルモードを選択することを防止することができる。
【０２３１】
なお、図３０の例では、消去されたボタンの下に位置する構成要素を、消去されたボタンの分だけ上に詰めているが、元の位置にとどめてもよい。この場合、エコモード、通常モード、パワフルモードの運転ボタンの位置が固定されるため、ユーザが誤って本来選択したかったボタンとは異なるボタンを選択してしまう可能性を低減することができる。
【０２３２】
なお、図３０の例では、パワフルモード運転ボタン１１１２を消去するだけであったが、消去したボタンの分だけ通常モード運転ボタン１１１１を大きくしてもよい。この場合、パワフルモード運転ボタン１１１２が存在した位置にも通常モード運転ボタン１１１１が存在するため、メリットが小さいパワフルモードの代わりに通常モードが推奨されているということを、ユーザに効果的に伝えることができる。
【０２３３】
図３１は、停止中操作画面１１００のその他の一例である。図３１の停止中操作画面１１００は、図１１の停止中操作画面１１００に対して、エコモード運転ボタン１１１０が消去される点、パワフルモード運転ボタン１１１２が消去される点を特徴とする。図３１の構成要素のうち、図１１と同じ番号が付与された構成要素については、同一のものであるため説明を省略する。
【０２３４】
図３１の停止中操作画面１１００は、図１１の停止中操作画面１１００において、時間が経過し、室内温度が２度上昇した場合に表示される。
【０２３５】
図３１の停止中操作画面１１００は、図１１の停止中操作画面１１００に対して、室内温度が１６度から１８度に上昇し、室内温度を設定温度に到達させるための電気料金が、通常モードでは１５円から６円、エコモードでは１０円から４円に変化している。この際、エコモードにおける電気料金と通常モードにおける電気料金の差が３円未満となったため、エコモード運転ボタン１１１０が消去されている。
【０２３６】
また、図３１の停止中操作画面１１００は、図１１の停止中操作画面１１００に対して、室内温度を設定温度に到達させるための時間が、通常モードでは２０分から８分、パワフルモードでは１５分から６分に変化している。この際、パワフルモードにおける時間と通常モードにおける時間の差が５分未満となったため、パワフルモード運転ボタン１１１２が消去されている。
【０２３７】
図３１において、エコモードを選択してもユーザにとって室内温度が設定温度に到達するまでの電気料金が安くなるメリットが小さい場合に、エコモード運転ボタン１１１０を消去することによって、ユーザがエコモードを選択することを防止することができる。
【０２３８】
また、パワフルモードを選択してもユーザにとって室内温度が設定温度に到達するまでの時間が短くなるメリットが小さい場合に、パワフルモード運転ボタン１１１２を消去することによって、ユーザがパワフルモードを選択することを防止することができる。
【０２３９】
なお、図３１の例では、消去されたボタンの下に位置する構成要素を、消去されたボタンの分だけ上に詰めているが、元の位置にとどめてもよい。この場合、エコモード、通常モード、パワフルモードの運転ボタンの位置が固定されるため、ユーザが誤って本来選択したかったボタンとは異なるボタンを選択してしまう可能性を低減することができる。
【０２４０】
なお、図３１の例では、エコモード運転ボタン１１１０を消去するだけであったが、消去したボタンの分だけ通常モード運転ボタン１１１１を大きくしてもよい。この場合、エコモード運転ボタン１１１０が存在した位置にも通常モード運転ボタン１１１１が存在するため、メリットが小さいエコモードの代わりに通常モードが推奨されているということを、ユーザに効果的に伝えることができる。
【０２４１】
なお、図３１の例では、パワフルモード運転ボタン１１１２を消去するだけであったが、消去したボタンの分だけ通常モード運転ボタン１１１１を大きくしてもよい。この場合、パワフルモード運転ボタン１１１２が存在した位置にも通常モード運転ボタン１１１１が存在するため、メリットが小さいパワフルモードの代わりに通常モードが推奨されているということを、ユーザに効果的に伝えることができる。
【０２４２】
図３２は、空調制御システムのトップ画面表示処理の第１例を示すシーケンス図である。
【０２４３】
本例では、機器テーブル５００はコントローラ１００の蓄積手段１０４で管理されている。また、コントローラ１００とエアコン２００は直接通信を行う。この通信は、通信制御手段１０７、及び、通信制御手段２０７を用いて行われる。
【０２４４】
まず、コントローラ１００は、アプリを起動する（Ｓ３２０１）。
【０２４５】
次に、コントローラ１００は、機器テーブル５００を蓄積手段１０４から読み出す（Ｓ３２０２）。機器テーブル５００は、コントローラ１００が操作可能なエアコン２００の一覧である。ここでは、エアコン２００Ａとエアコン２００Ｂが操作可能であるとして説明を進める。
【０２４６】
次に、コントローラ１００は、エアコン２００Ａに対して、機器状態取得要求を送信する（Ｓ３２０３）。エアコン２００Ａは、状態管理手段２０２によって蓄積手段２０４に格納された機器状態テーブル６００を最新の状態に更新し、更新した機器状態テーブル６００をコントローラ１００に対して送信する（Ｓ３２０４）。
【０２４７】
次に、コントローラ１００は、エアコン２００Ｂに対して、機器状態取得要求を送信する（Ｓ３２０５）。エアコン２００Ｂは、状態管理手段２０２によって蓄積手段２０４に格納された機器状態テーブル６００を最新の状態に更新し、更新した機器状態テーブル６００をコントローラ１００に対して送信する（Ｓ３２０６）。
【０２４８】
次に、コントローラ１００は、取得した機器テーブル５００と機器状態テーブル６００を用いてトップ画面１０００を構成して表示する（Ｓ３２０７）。
【０２４９】
なお、Ｓ３２０４とＳ３２０５は順番を逆転させてもよい。この場合、複数のエアコン２００について、コントローラ１００との間の通信を並列化できるため、シーケンス全体の処理時間を短くできる。
【０２５０】
図３３は、空調制御システムのトップ画面表示処理の第２例を示すシーケンス図である。
【０２５１】
本例では、機器テーブル５００はコントローラ１００の蓄積手段１０４で管理されている。また、コントローラ１００とエアコン２００はサーバ３００を介して通信を行う。この通信は、通信制御手段１０７、通信制御手段２０７、及び、通信制御手段３０７を用いて行われる。
【０２５２】
まず、コントローラ１００は、アプリを起動する（Ｓ３３０１）。
【０２５３】
次に、コントローラ１００は、機器テーブル５００を蓄積手段１０４から読み出す（Ｓ３３０２）。機器テーブル５００は、コントローラ１００が操作可能なエアコン２００の一覧である。ここでは、エアコン２００Ａとエアコン２００Ｂが操作可能であるとして説明を進める。
【０２５４】
次に、コントローラ１００は、サーバ３００に対して、エアコン２００Ａとエアコン２００Ｂの機器状態取得要求を送信する（Ｓ３３０３）。
【０２５５】
次に、サーバ３００は、エアコン２００Ａに対して、機器状態取得要求を送信する（Ｓ３３０４）。エアコン２００Ａは、状態管理手段２０２によって蓄積手段２０４に格納された機器状態テーブル６００を最新の状態に更新し、更新した機器状態テーブル６００をサーバ３００に対して送信する（Ｓ３３０５）。
【０２５６】
次に、サーバ３００は、エアコン２００Ｂに対して、機器状態取得要求を送信する（Ｓ３３０６）。エアコン２００Ｂは、状態管理手段２０２によって蓄積手段２０４に格納された機器状態テーブル６００を最新の状態に更新し、更新した機器状態テーブル６００をサーバ３００に対して送信する（Ｓ３３０７）。
【０２５７】
次に、サーバ３００は、コントローラ１００に対して、エアコン２００Ａから取得した機器状態テーブル６００とエアコン２００Ｂから取得した機器状態テーブル６００を結合した機器状態テーブル６００を送信する（Ｓ３３０８）。
【０２５８】
次に、コントローラ１００は、取得した機器テーブル５００と機器状態テーブル６００を用いてトップ画面１０００を構成して表示する（Ｓ３３０９）。
【０２５９】
なお、Ｓ３３０５とＳ３３０６は順番を逆転させてもよい。この場合、複数のエアコン２００について、サーバ３００との間の通信を並列化できるため、シーケンス全体の処理時間を短くできる。
【０２６０】
図３４は、空調制御システムのトップ画面表示処理の第３例を示すシーケンス図である。
【０２６１】
本例では、機器テーブル５００はサーバ３００コントローラ１００の蓄積手段３０４で管理されている。また、コントローラ１００とエアコン２００はサーバ３００を介して通信を行う。この通信は、通信制御手段１０７、通信制御手段２０７、及び、通信制御手段３０７を用いて行われる。
【０２６２】
まず、コントローラ１００は、アプリを起動する（Ｓ３４０１）。
【０２６３】
次に、コントローラ１００は、サーバ３００に対して機器一覧取得要求を送信する（Ｓ３４０２）。サーバ３００は、蓄積手段３０４から機器テーブル５００を読み出し、コントローラ１００に対して送信する（Ｓ３４０３）。機器テーブル５００は、コントローラ１００が操作可能なエアコン２００の一覧である。ここでは、エアコン２００Ａとエアコン２００Ｂが操作可能であるとして説明を進める。
【０２６４】
次に、コントローラ１００は、サーバ３００に対して、エアコン２００Ａとエアコン２００Ｂの機器状態取得要求を送信する（Ｓ３４０４）。
【０２６５】
次に、サーバ３００は、エアコン２００Ａに対して、機器状態取得要求を送信する（Ｓ３４０５）。エアコン２００Ａは、状態管理手段２０２によって蓄積手段２０４に格納された機器状態テーブル６００を最新の状態に更新し、更新した機器状態テーブル６００をサーバ３００に対して送信する（Ｓ３４０６）。
【０２６６】
次に、サーバ３００は、エアコン２００Ｂに対して、機器状態取得要求を送信する（Ｓ３４０７）。エアコン２００Ｂは、状態管理手段２０２によって蓄積手段２０４に格納された機器状態テーブル６００を最新の状態に更新し、更新した機器状態テーブル６００をサーバ３００に対して送信する（Ｓ３４０８）。
【０２６７】
次に、サーバ３００は、コントローラ１００に対して、エアコン２００Ａから取得した機器状態テーブル６００とエアコン２００Ｂから取得した機器状態テーブル６００を結合した機器状態テーブル６００を送信する（Ｓ３４０９）。
【０２６８】
次に、コントローラ１００は、取得した機器テーブル５００と機器状態テーブル６００を用いてトップ画面１０００を構成して表示する（Ｓ３４１０）。
【０２６９】
なお、Ｓ３４０６とＳ３４０７は順番を逆転させてもよい。この場合、複数のエアコン２００について、サーバ３００との間の通信を並列化できるため、シーケンス全体の処理時間を短くできる。
【０２７０】
図３５は、空調制御システムの操作画面表示処理の第１例を示すシーケンス図である。本例では、空調コストはコントローラ１００の空調コスト算出手段１０８を用いて算出される。また、コントローラ１００とエアコン２００は直接通信を行う。この通信は、通信制御手段１０７、及び、通信制御手段２０７を用いて行われる。このシーケンスは、図２に示す機能ブロック図に対応している。
【０２７１】
まず、コントローラ１００は、トップ画面１０００において、エアコン２００が選択されたことを受け付ける（Ｓ３５０１）。
【０２７２】
次に、コントローラ１００は、エアコン２００に機器状態取得要求を送信する（Ｓ３５０２）。エアコン２００は、状態管理手段２０２によって蓄積手段２０４に格納された機器状態テーブル６００を最新の状態に更新し、更新した機器状態テーブル６００をコントローラ１００に対して送信する（Ｓ３５０３）。
【０２７３】
次に、コントローラ１００は、蓄積手段１０４から空調コスト算出テーブル８００を取得し、機器状態テーブル６００と組み合わせて空調コストを算出する（Ｓ３５０４）。
【０２７４】
次に、コントローラ１００は、機器状態テーブル６００と算出した空調コストを用いて停止中操作画面１１００、もしくは、運転中操作画面１３００を構成して表示する（Ｓ３５０５）。
【０２７５】
図３６は、空調制御システムの操作画面表示処理の第２例を示すシーケンス図である。本例では、空調コストはコントローラ１００の空調コスト算出手段１０８を用いて算出される。また、コントローラ１００とエアコン２００はサーバ３００を介して通信を行う。この通信は、通信制御手段１０７、通信制御手段２０７、及び、通信制御手段３０７を用いて行われる。このシーケンスは、図２に示す機能ブロック図に対応している。
【０２７６】
まず、コントローラ１００は、トップ画面１０００において、エアコン２００が選択されたことを受け付ける（Ｓ３６０１）。
【０２７７】
次に、コントローラ１００は、サーバ３００に対して、エアコン２００の機器状態取得要求を送信する（Ｓ３６０２）。
【０２７８】
次に、サーバ３００は、エアコン２００に対して、機器状態取得要求を送信する（Ｓ３６０３）。エアコン２００は、状態管理手段２０２によって蓄積手段２０４に格納された機器状態テーブル６００を最新の状態に更新し、更新した機器状態テーブル６００をサーバ３００に対して送信する（Ｓ３６０４）。
【０２７９】
次に、サーバ３００は、コントローラ１００に対して、エアコン２００から取得した機器状態テーブル６００を送信する（Ｓ３６０５）。
【０２８０】
次に、コントローラ１００は、蓄積手段１０４から空調コスト算出テーブル８００を取得し、機器状態テーブル６００と組み合わせて空調コストを算出する（Ｓ３６０６）。
次に、コントローラ１００は、機器状態テーブル６００と算出した空調コストを用いて停止中操作画面１１００、もしくは、運転中操作画面１３００を構成して表示する（Ｓ３６０７）。
【０２８１】
図３７は、空調制御システムの操作画面表示処理の第３例を示すシーケンス図である。
【０２８２】
本例では、空調コストはエアコン２００の空調コスト算出手段２０８を用いて算出される。また、コントローラ１００とエアコン２００は直接通信を行う。この通信は、通信制御手段１０７、及び、通信制御手段２０７を用いて行われる。このシーケンスは、図３に示す機能ブロック図に対応している。
【０２８３】
まず、コントローラ１００は、トップ画面１０００において、エアコン２００が選択されたことを受け付ける（Ｓ３７０１）。
【０２８４】
次に、コントローラ１００は、エアコン２００に対して、空調コスト計算要求を送信する（Ｓ３７０２）。
【０２８５】
次に、エアコン２００は、状態管理手段２０２によって蓄積手段２０４に格納された機器状態テーブル６００を最新の状態に更新する（Ｓ３７０３）。
【０２８６】
次に、エアコン２００は、蓄積手段２０４から空調コスト算出テーブル８００を取得し、機器状態テーブル６００と組み合わせて空調コストを算出する（Ｓ３７０４）。
【０２８７】
次に、エアコン２００は、コントローラ１００に対して、算出した空調コストを送信する（Ｓ３７０５）。
【０２８８】
次に、コントローラ１００は、蓄積手段１０４から機器状態テーブル６００を取得し、機器状態テーブル６００と空調コストを用いて停止中操作画面１１００、もしくは、運転中操作画面１３００を構成して表示する（Ｓ３７０６）。
【０２８９】
図３８は、空調制御システムの操作画面表示処理の第４例を示すシーケンス図である。
【０２９０】
本例では、空調コストはサーバ３００の空調コスト算出手段３０８を用いて算出される。また、コントローラ１００とエアコン２００はサーバ３００を介して通信を行う。この通信は、通信制御手段１０７、通信制御手段２０７、及び、通信制御手段３０７を用いて行われる。このシーケンスは、図４に示す機能ブロック図に対応している。
【０２９１】
まず、コントローラ１００は、トップ画面１０００において、エアコン２００が選択されたことを受け付ける（Ｓ３８０１）。
【０２９２】
次に、コントローラ１００は、サーバ３００に対して、空調コスト計算要求を送信する（Ｓ３８０２）。
【０２９３】
次に、サーバ３００は、エアコン２００に対して、機器状態取得要求を送信する（Ｓ３８０３）。エアコン２００は、状態管理手段２０２によって蓄積手段２０４に格納された機器状態テーブル６００を最新の状態に更新し、更新した機器状態テーブル６００をサーバ３００に対して送信する（Ｓ３８０４）。
【０２９４】
次に、サーバ３００は、蓄積手段３０４から空調コスト算出テーブル８００を取得し、機器状態テーブル６００と組み合わせて空調コストを算出する（Ｓ３８０５）。
【０２９５】
次に、サーバ３００は、コントローラ１００に対して、算出した空調コストを送信する（Ｓ３８０６）。
【０２９６】
次に、コントローラ１００は、蓄積手段１０４から機器状態テーブル６００を取得し、機器状態テーブル６００と空調コストを用いて停止中操作画面１１００、もしくは、運転中操作画面１３００を構成して表示する（Ｓ３８０７）。
【０２９７】
図３９は、空調制御システムの機器操作処理の第１例を示すシーケンス図である。
【０２９８】
本例では、コントローラ１００とエアコン２００は直接通信を行う。この通信は、通信制御手段１０７、及び、通信制御手段２０７を用いて行われる。
【０２９９】
まず、コントローラ１００は、停止中操作画面１１００、もしくは、運転中操作画面１３００において、設定温度変更や動作モード変更など、エアコン２００に対する操作入力を受け付ける（Ｓ３９０１）。
【０３００】
次に、コントローラ１００は、機器制御手段１０６において、受け付けた操作入力に基づいてエアコンを制御するための制御コマンドを生成し、エアコン２００に対して送信する（Ｓ３９０２）。
【０３０１】
次に、エアコン２００は、受信した制御コマンドを実行する（Ｓ３９０３）。次に、エアコン２００は、制御コマンドの実行結果を、コントローラ１００に対して送信する（Ｓ３９０４）。
【０３０２】
次に、コントローラ１００は、受信した制御コマンドの実行結果を用いて表示手段１０１に表示された停止中操作画面１１００、もしくは、運転中操作画面１３００を更新する（Ｓ３９０５）。
【０３０３】
図４０は、空調制御システムの機器操作処理の第２例を示すシーケンス図である。
【０３０４】
本例では、空調コストは空調コスト算出手段２０８を用いて算出される。また、コントローラ１００とエアコン２００はサーバ３００を介して通信を行う。この通信は、通信制御手段１０７、通信制御手段２０７、及び、通信制御手段３０７を用いて行われる。
【０３０５】
まず、コントローラ１００は、停止中操作画面１１００、もしくは、運転中操作画面１３００において、設定温度変更や動作モード変更など、エアコン２００に対する操作入力を受け付ける（Ｓ４００１）。
【０３０６】
次に、コントローラ１００は、機器制御手段１０６において、受け付けた操作入力に基づいてエアコンを制御するための制御コマンドを生成し、サーバ３００に対して送信する（Ｓ４００２）。
【０３０７】
次に、サーバ３００は、コントローラ１００から受信した制御コマンドを、エアコン２００に対して送信する（Ｓ４００３）。
【０３０８】
次に、エアコン２００は、受信した制御コマンドを実行する（Ｓ４００４）。
【０３０９】
次に、エアコン２００は、制御コマンドの実行結果を、サーバ３００に対して送信する（Ｓ４００５）。
【０３１０】
次に、サーバ３００は、エアコン２００から受信した制御コマンドの実行結果を、コントローラ１００に対して送信する（Ｓ４００６）。
【０３１１】
次に、コントローラ１００は、受信した制御コマンドの実行結果を用いて表示手段１０１に表示された停止中操作画面１１００、もしくは、運転中操作画面１３００を更新する（Ｓ４００７）。
【０３１２】
なお、Ｓ４００２において、コントローラ１００はサーバ３００に対して操作入力を変換した制御コマンドを送信しているが、操作入力自体を送信してもよい。この場合、サーバ３００は、機器制御手段３０２において、受信した操作入力に基づいてエアコンを制御するための制御コマンドを生成し、エアコン２００に対して送信する。この場合でも、同様の効果が得られる。
【０３１３】
図４１は、コントローラ１００における、全体処理の一例を示すフローチャートである。
【０３１４】
まず、表示制御手段１０３は、機器テーブル５００を取得する（Ｓ４１０１）。ここで、コントローラ１００が自身で機器テーブル５００を管理している場合、蓄積手段１０４から機器テーブル５００を取得すればよい。また、サーバ３００が機器テーブル５００を管理している場合、表示制御手段１０３は、ネットワーク経由で蓄積手段３０４に格納された機器テーブル５００を取得すればよい。
【０３１５】
次に、表示制御手段１０３は、機器テーブル５００の各行に対応するエアコン２００について、機器状態テーブル６００を取得する処理を実行する（Ｓ４１０２）。機器状態テーブル６００を取得するフローは、図４２を参照して後述される。
【０３１６】
次に、表示制御手段１０３は、機器テーブル５００と機器状態テーブル６００を用いてトップ画面１０００を構成し、表示手段１０１に表示する（Ｓ４１０３）。これにより、図１０に示すトップ画面１０００が完成する。ここで、トップ画面１０００を構成する際に空調コストの算出が必要な場合は、図５０を参照して後述される空調コスト算出処理を実行すればよい。例えば、図１０のトップ画面１０００において、和室に設置されたエアコン２００に対応する機器状態表示領域には「あと１０分」と表示されているが、この表示を行うためには、図５０の空調コスト算出処理を用いて室内温度を設定時間に到達させるために必要な時間を示す所要時間情報を算出する必要がある。
【０３１７】
次に、入力制御手段１０２は、トップ画面１０００において、機器選択ボタン１００１が選択されたことを検出する（Ｓ４１０４）。ここで、選択された機器選択ボタン１００１に対応するエアコン２００をユーザが選択したエアコン２００とする。
【０３１８】
次に、表示制御手段１０３は、選択されたエアコン２００に関する機器状態テーブル６００を取得する処理を実行する（Ｓ４１０５）。機器状態テーブル６００を取得するフローは、図４２を参照して後述される。
【０３１９】
次に、表示制御手段１０３は、選択されたエアコン２００について、運転状態が停止中か否かを判定する（Ｓ４１０６）。
【０３２０】
Ｓ４１０６において、エアコン２００が停止中であれば（Ｓ４１０６でＹＥＳ）、表示制御手段１０３は、停止中操作画面１１００を表示手段１０１に表示する処理を実行する（Ｓ４１０７）。停止中操作画面１１００を表示するフローは、図４３、図４４、及び、図４５を参照して後述される。
【０３２１】
一方、Ｓ４１０６において、エアコン２００が運転中であれば（Ｓ４１０６でＮＯ）、表示制御手段１０３は、運転中操作画面１３００を表示手段１０１に表示する処理を実行する（Ｓ４１０８）。運転中操作画面１３００を表示するフローは、図４６、図４７、及び、図４８を参照して後述される。
【０３２２】
次に、表示制御手段１０３は、画面更新イベントの発生、もしくは、ユーザからの入力を待ち受ける状態になる（Ｓ４１０９、Ｓ４１１０、Ｓ４１１１）。
【０３２３】
画面更新イベントが発生すると（Ｓ４１０９でＹＥＳ）、処理はＳ４１０５に戻る。画面更新イベントは、表示制御手段１０３が表示手段１０１に表示された停止中操作画面１１００を更新すべきタイミングで発生するものであり、例えば、コントローラ１００に内蔵されたタイマを用いて「前回の画面更新から１分以上経過していれば、画面更新イベントを発生させる」と設定することで実現できる。
【０３２４】
なお、画面更新イベントは、室内温度が変化したタイミングで発生するようにしてもよい。例えば、エアコン２００が室内温度取得手段２０５によって定期的に室内温度を取得し、室内温度が変化したタイミングでコントローラ１００に対して通知を行うことで実現できる。この場合、室内温度の変化が即座に停止中操作画面１１００に反映されるため、ユーザはリアルタイムに室内の状態変化を確認できる。
【０３２５】
また、入力制御手段１０２が、ユーザによる機器操作入力を受け付けると（Ｓ４１０９でＮＯ、かつ、Ｓ４１１０でＹＥＳ）、受け付けた機器操作入力に対応する制御コマンドをエアコン２００に送信する処理を実行する（Ｓ４１１２）。操作入力を制御コマンドに変換して送信するフローは、図４９を参照して後述される。ここで機器操作入力とは、設定温度変更ボタン１１０６、エコモード運転ボタン１１１０、通常モード運転ボタン１１１１、パワフルモード運転ボタン１１１２、停止ボタン１３０２のいずれかが選択されることである。
【０３２６】
また、入力制御手段１０２が、トップ画面切替ボタン１１０１が選択されたことを検知すると（Ｓ４１１０でＮＯ、かつ、Ｓ４１１１でＹＥＳ）、処理はＳ４１０２に戻される。
【０３２７】
なお、Ｓ４１０９、Ｓ４１１０、Ｓ４１１１のいずれにおいてもＮＯの場合、つまり、画面の定期更新イベントが発生せず、ユーザによる入力もない場合、処理がＳ４１０９に戻され、待ち受け状態が維持される。
【０３２８】
図４２は、図４１のＳ４１０２、図４１のＳ４１０５で実行される、機器状態取得処理の詳細を示すフローチャートである。
【０３２９】
まず、機器制御手段１０６は、コントローラ１００がホームネットワークに接続中であるか否かを判定する（Ｓ４２０１）。ここで、ホームネットワークとは、ユーザの宅内におけるネットワークである。したがって、ユーザが外出先からコントローラ１００を操作していれば、Ｓ４２０１でＮＯと判定され、ユーザが宅内でコントローラ１００を操作していれば、Ｓ４２０１でＹＥＳと判定される。
【０３３０】
ホームネットワークに接続中であれば（Ｓ４２０１でＹＥＳ）、機器制御手段１０６は、機器テーブル５００の「機器アクセス方法」の内容にしたがって、機器の状態取得方法を確認する（Ｓ４２０２）。
【０３３１】
Ｓ４２０２において、「機器アクセス方法」が「機器直接」であれば、機器制御手段１０６は、該当するエアコン２００に対して機器状態テーブル６００の取得要求を送信する（Ｓ４２０３）。
【０３３２】
一方、Ｓ４２０２において、「機器アクセス方法」が「サーバ経由」であれば、機器制御手段１０６は、機器状態テーブル６００の取得要求をサーバ３００に対して送信する（Ｓ４２０４）。
【０３３３】
また、Ｓ４２０１でコントローラ１００がホームネットワークに接続されていないと判断した場合にも（Ｓ４２０１でＮＯ）、Ｓ４２０４の処理を実行する。
次に、機器制御手段１０６は、機器状態テーブル６００をエアコン２００、もしくは、サーバ３００から受信する（Ｓ４２０５）。
【０３３４】
図４３は、図４１のＳ４１０７で実行される、停止中操作画面１１００の表示処理の第１例を示すフローチャートである。第１例の停止中操作画面表示処理では、空調コストはコントローラ１００において算出される。このフローチャートは、図３５、及び、図３６に示すシーケンス図に対応している。
【０３３５】
まず、表示制御手段１０３は、エアコン２００を動作させる上で必要な時間的、金銭的コストを示す空調コストを算出する処理を実行する（Ｓ４３０１）。空調コストを算出するフローは、図５０を参照して後述される。
【０３３６】
次に、表示制御手段１０３は、表示手段１０１に対して、通常モード運転ボタン１１１１を通常モードの空調コストとともに表示する（Ｓ４３０２）。
【０３３７】
次に、表示制御手段１０３は、空調コストの中からエコモードでの所要料金情報と通常モードでの所要料金情報を取得し、エコモードでの料金が通常モードでの料金に比べて所定金額以上安いか否かを判定する（Ｓ４３０３）。所定金額としては、多くのユーザがエコモードを選択する意味があると感じる値が好適であり、例えば３円という値が採用される。ここで所定金額は、あらかじめシステムの構成者によって設定される。
【０３３８】
なお、Ｓ４３０３において、室内温度が設定温度に到達しており、空調コスト内に所要料金情報が含まれていない場合、所要料金情報の代わりに維持単価情報を用いて判定を行う。
【０３３９】
Ｓ４３０３において、エコモードでの料金が通常モードでの料金より所定金額以上安い場合（Ｓ４３０３でＹＥＳ）、表示制御手段１０３は、表示手段１０１に対して、エコモード運転ボタン１１１０をエコモードの空調コストとともに表示する（Ｓ４３０４）。
【０３４０】
Ｓ４３０３において、エコモードでの料金が通常モードでの料金より所定金額以上安くない場合（Ｓ４３０３でＮＯ）、表示制御手段１０３は、表示手段１０１に対して、エコモード運転ボタン１１１０をエコモードの空調コストとともに、通常モード運転ボタン１１１１とは異なる形態で表示する（Ｓ４３０５）。異なる形態としては、例えば、通常モード運転ボタン１１１１と異なり、かつ、多くのユーザがエコモードのメリットが小さいと認識できる色で表示することが採用される。この際の表示色としては、灰色や半透明などが好適である。この通常モード運転ボタン１１１１と異なる表示形態は、あらかじめシステムの構成者によって設定される。
【０３４１】
次に、表示制御手段１０３は、空調コストの中からパワフルモードでの所要時間情報と通常モードでの所要時間情報を取得し、パワフルモードでの時間が所定時間以上早いか否かを判定する（Ｓ４３０６）。所定時間としては、多くのユーザがパワフルモードを選択する意味があると感じる値が好適であり、例えば５分という値が採用される。ここで所定時間は、あらかじめシステムの構成者によって設定される。
【０３４２】
なお、Ｓ４３０６において、室内温度が設定温度に到達しており、空調コスト内に所要時間情報が含まれていない場合、Ｓ４３０６はＮＯとなる。
【０３４３】
Ｓ４３０６において、パワフルモードでの時間が通常モードでの時間より所定時間以上早い場合（Ｓ４３０６でＹＥＳ）、表示制御手段１０３は、表示手段１０１に対して、パワフルモード運転ボタン１１１２をパワフルモードの空調コストとともに表示する（Ｓ４３０７）。
【０３４４】
Ｓ４３０６において、パワフルモードでの時間が通常モードでの時間より所定時間以上早くない場合（Ｓ４３０６でＮＯ）、表示制御手段１０３は、表示手段１０１に対して、パワフルモード運転ボタン１１１２をパワフルモードの空調コストとともに、通常モード運転ボタン１１１１とは異なる形態で表示する（Ｓ４３０８）。異なる形態としては、例えば、通常モード運転ボタン１１１１と異なり、かつ、多くのユーザがパワフルモードのメリットが小さいと認識できる色で表示することが採用される。この際、表示色としては、灰色や半透明などが好適である。この通常モード運転ボタン１１１１と異なる表示形態は、あらかじめシステムの構成者によって設定される。
【０３４５】
次に、表示制御手段１０３は、表示手段１０１に対して、停止中操作画面１１００を構成するために必要な残りの要素を表示する（Ｓ４３０９）。停止中操作画面１１００を構成するために必要な残りの要素とは、トップ画面切替ボタン１１０１、部屋名表示領域１１０２、運転状態表示領域１１０３、室内温度表示領域１１０４、設定温度表示領域１１０５、設定温度変更ボタン１１０６、メッセージ表示領域１１０７、及び、背景となる固定の画像や文字列などである。
【０３４６】
以上により、図１１に代表される停止中操作画面１１００が表示手段１０１に表示される。
【０３４７】
なお、Ｓ４３０３において、維持単価情報を用いて判定を行う場合の所定金額は、所要料金情報で判定を行う場合の所定金額と異なる値であってもよい。異なる値としては、「１円」など小さい値が好適である。なぜならば、室内温度が設定温度に到達している場合においては、室内温度を設定温度に到達させるために必要な時間が長くなるというエコモードのデメリットを考慮する必要がなくなり、１円でも安いというメリットがあるならば、多くのユーザにとってエコモードを選択する意味があるためである。
【０３４８】
なお、Ｓ４３０３において、エコモードでの料金と通常モードでの料金を比較する際の所定金額として、あらかじめシステムの構成者が設定した全ユーザ共通の値を用いているが、この値はユーザごとに個別に設定されてもよい。例えば、１円でも安ければエコモードを選択する意味があると感じるユーザであれば「１円」、１０円以上安くなければエコモードを選択する意味がないと感じるユーザであれば「１０円」と設定することができる。エコモードでの料金と通常モードでの料金を比較する際の所定金額をユーザごとに設定できることによって、個々のユーザの感性に適した画面表示が可能になる。もちろん、初期値としては、多くのユーザがエコモードを選択する意味があると感じる値を設定しておけばよい。これにより、ユーザが個別に設定を行わない場合であっても、全ユーザ共通の値を用いた時と同様の効果を得られる。
【０３４９】
なお、Ｓ４３０６において、パワフルモードでの時間と通常モードでの時間を比較する際の所定時間として、あらかじめシステムの構成者が設定した全ユーザ共通の値を用いているが、この値はユーザごとに個別に設定されてもよい。例えば、１分でも早ければパワフルモードを選択する意味があると感じるユーザであれば「１分」、１０分以上早くなければパワフルモードを選択する意味がないと感じるユーザであれば「１０分」と設定することができる。パワフルモードでの時間と通常モードでの時間を比較する際の所定時間をユーザごとに設定できることによって、個々のユーザの感性に適した画面表示が可能になる。もちろん、初期値としては、多くのユーザがパワフルモードを選択する意味があると感じる値を設定しておけばよい。これにより、ユーザが個別に設定を行わない場合であっても、全ユーザ共通の値を用いた時と同様の効果を得られる。
【０３５０】
なお、Ｓ４３０５において、エコモード運転ボタン１１１０の表示色として、あらかじめシステムの構成者が設定した全ユーザ共通の色を用いているが、この色はユーザごとに個別に設定されてもよい。エコモードを選択しても電気料金が安くなるメリットが小さい場合に変化するエコモード運転ボタン１１１０の色をユーザごとに設定できることによって、個々のユーザの感性に適した画面表示が可能になる。もちろん、初期値としては、多くのユーザがエコモードのメリットが小さいと認識できる色を設定しておけばよい。これにより、ユーザが個別に設定を行わない場合であっても、全ユーザ共通の色を用いた時と同様の効果を得られる。
【０３５１】
なお、Ｓ４３０８において、パワフルモード運転ボタン１１１２の表示色として、あらかじめシステムの構成者が設定した全ユーザ共通の色を用いているが、この色はユーザごとに個別に設定されてもよい。パワフルモードを選択しても室内温度が設定温度に到達するまでの時間が短くなるメリットが小さい場合に変化するパワフルモード運転ボタン１１１２の色をユーザごとに設定できることによって、個々のユーザの感性に適した画面表示が可能になる。もちろん、初期値としては、多くのユーザがパワフルモードのメリットが小さいと認識できる色を設定しておけばよい。これにより、ユーザが個別に設定を行わない場合であっても、全ユーザ共通の色を用いた時と同様の効果を得られる。
【０３５２】
なお、Ｓ４３０５において、エコモード運転ボタン１１１０を通常モード運転ボタン１１１１とは異なる色で表示しているが、ボタン自体を消去してもよい。この場合、図３１に代表される、エコモード運転ボタン１１１０が存在しない停止中操作画面１１００が表示手段１０１に表示される。エコモードを選択しても電気料金が安くなるメリットが小さい場合に、エコモード運転ボタン１１１０を消去することによって、ユーザがエコモードを選択することを防止することができる。
【０３５３】
なお、Ｓ４３０８において、パワフルモード運転ボタン１１１２を通常モード運転ボタン１１１１とは異なる色で表示しているが、ボタン自体を消去してもよい。この場合、図３１に代表される、パワフルモード運転ボタン１１１２が存在しない停止中操作画面１１００が表示手段１０１に表示される。パワフルモードを選択しても室内温度が設定温度に到達するまでの時間が短くなるメリットが小さい場合に、パワフルモード運転ボタン１１１２を消去することによって、ユーザがパワフルモードを選択することを防止することができる。
【０３５４】
図４４は、図４１のＳ４１０７で実行される、停止中操作画面１１００の表示処理の第２例を示すフローチャートである。第２例の停止中操作画面表示処理では、空調コストはエアコン２００において算出される。このフローチャートは、図３７に示すシーケンス図に対応している。
【０３５５】
まず、コントローラ１００は、通信制御手段１０７を用いて、エアコン２００に対して、空調コストの算出要求を送信する（Ｓ４４０１）。
【０３５６】
次に、コントローラ１００は、通信制御手段１０７を用いて、エアコン２００から、空調コストの算出結果を受信する（Ｓ４４０２）。ここで得られる算出結果は、図４３のＳ４３０１を実行後に得られる結果と同一の形式である。
【０３５７】
また、以降の、Ｓ４３０２からＳ４３０９までは、図４３において同じ番号が付与された構成要素と同一のものであるため説明を省略する。
【０３５８】
次に、Ｓ４４０１とＳ４４０２の間にエアコン２００で実行されるフローを説明する。
【０３５９】
まず、エアコン２００は、通信制御手段２０７を用いて、コントローラ１００から、空調コストの算出要求を受信する（Ｓ４４１１）。
【０３６０】
次に、エアコン２００は、状態管理手段２０２を用いて、蓄積手段２０４に格納された機器状態テーブル６００を最新の状態に更新する（Ｓ４４１２）。
【０３６１】
次に、エアコン２００は、空調コストを算出する処理を実行する（Ｓ４４１３）。空調コストを算出するフローは、図５０を参照して後述される。
【０３６２】
次に、エアコン２００は、通信制御手段２０７を用いて、空調コストの算出結果をコントローラ１００に送信する（Ｓ４４１４）。
【０３６３】
図４５は、図４１のＳ４１０７で実行される、停止中操作画面１１００の表示処理の第３例を示すフローチャートである。第３例の停止中操作画面表示処理では、空調コストはサーバ３００において算出される。このフローチャートは、図３８に示すシーケンス図に対応している。
【０３６４】
まず、コントローラ１００は、通信制御手段１０７を用いて、サーバ３００に対して、空調コストの算出要求を送信する（Ｓ４５０１）。
【０３６５】
次に、コントローラ１００は、通信制御手段１０７を用いて、サーバ３００から、空調コストの算出結果を受信する（Ｓ４５０２）。ここで得られる算出結果は、図４３のＳ４３０１を実行後に得られる結果と同一の形式である。
【０３６６】
また、以降の、Ｓ４３０２からＳ４３０９までは、図４３において同じ番号が付与された構成要素と同一のものであるため説明を省略する。
【０３６７】
次に、Ｓ４５０１とＳ４５０２の間にサーバ３００で実行されるフローを説明する。
まず、サーバ３００は、通信制御手段３０７を用いて、コントローラ１００から、空調コストの算出要求を受信する（Ｓ４５１１）。
【０３６８】
次に、サーバ３００は、機器制御手段３０２を用いて、空調コスト算出要求されたエアコン２００の最新の機器状態をエアコン２００から取得し、蓄積手段３０４に格納された機器状態テーブル６００を更新する（Ｓ４５１２）。
【０３６９】
次に、サーバ３００は、空調コストを算出する処理を実行する（Ｓ４５１３）。空調コストを算出するフローは、図５０を参照して後述される。
【０３７０】
次に、サーバ３００は、通信制御手段３０７を用いて、空調コストの算出結果をコントローラ１００に送信する（Ｓ４５１４）。
【０３７１】
図４６は、図４１のＳ４１０８で実行される、運転中操作画面１３００の表示処理の第１例を示すフローチャートである。第１例の運転中操作画面表示処理では、空調コストはコントローラ１００において算出される。このフローチャートは、図３５、及び、図３６に示すシーケンス図に対応している。
【０３７２】
まず、表示制御手段１０３は、エアコン２００を動作させる上で必要な時間的、金銭的コストを示す空調コストを算出する処理を実行する（Ｓ４６０１）。空調コストを算出するフローは、図５０を参照して後述される。
【０３７３】
次に、表示制御手段１０３は、蓄積手段１０４から機器状態テーブル６００を取得し、エアコン２００の現在の動作モードが通常モードであるか否かを判定する（Ｓ４６０２）。エアコン２００の動作モードが通常モードである場合（Ｓ４６０２でＹＥＳ）、表示制御手段１０３は、表示手段１０１に対して、空調コスト表示領域１３０１を通常モードの空調コストとともに表示する（Ｓ４６０３）。
【０３７４】
また、エアコン２００の動作モードが通常モードでない場合（Ｓ４６０２でＮＯ）、表示制御手段１０３は、表示手段１０１に対して、通常モード運転ボタン１１１１を通常モードの空調コストとともに表示する（Ｓ４６０４）。
【０３７５】
次に、表示制御手段１０３は、蓄積手段１０４から機器状態テーブル６００を取得し、エアコン２００の現在の動作モードがエコモードであるか否かを判定する（Ｓ４６０５）。
【０３７６】
Ｓ４６０５において、エアコン２００の動作モードがエコモードである場合（Ｓ４６０５でＹＥＳ）、表示制御手段１０３は、表示手段１０１に対して、空調コスト表示領域１３０１をエコモードの空調コストとともに表示する（Ｓ４６０７）。
【０３７７】
Ｓ４６０５において、エアコン２００の動作モードがエコモードでない場合（Ｓ４６０５でＮＯ）、表示制御手段１０３は、空調コストの中からエコモードでの所要料金情報と通常モードでの所要料金情報を取得し、エコモードでの料金が通常モードでの料金に比べて所定金額以上安いか否かを判定する（Ｓ４６０６）。所定金額としては、多くのユーザがエコモードを選択する意味があると感じる値が好適であり、例えば３円という値が採用される。ここで所定金額は、あらかじめシステムの構成者によって設定される。
【０３７８】
なお、Ｓ４６０６において、室内温度が設定温度に到達しており、空調コスト内に所要料金情報が含まれていない場合、所要料金情報の代わりに維持単価情報を用いて判定を行う。
【０３７９】
Ｓ４６０６において、エコモードでの電気料金が通常モードでの電気料金より所定金額以上安い場合（Ｓ４６０６でＹＥＳ）、表示制御手段１０３は、表示手段１０１に対して、エコモード運転ボタン１１１０をエコモードの空調コストとともに表示する（Ｓ４６０８）。
【０３８０】
Ｓ４６０６において、エコモードでの電気料金が通常モードでの電気料金より所定金額以上安くない場合（Ｓ４６０６でＮＯ）、表示制御手段１０３は、表示手段１０１に対して、エコモード運転ボタン１１１０をエコモードの空調コストとともに、通常モード運転ボタン１１１１とは異なる形態で表示する（Ｓ４６０９）。異なる形態としては、例えば、通常モード運転ボタン１１１１と異なり、かつ、多くのユーザがエコモードのメリットが小さいと認識できる色で表示することが採用される。この際の表示色としては、灰色や半透明などが好適である。この通常モード運転ボタン１１１１と異なる表示形態は、あらかじめシステムの構成者によって設定される。
【０３８１】
次に、表示制御手段１０３は、蓄積手段１０４から機器状態テーブル６００を取得し、エアコン２００の現在の動作モードがパワフルモードであるか否かを判定する（Ｓ４６１０）。
【０３８２】
Ｓ４６１０において、エアコン２００の動作モードがパワフルモードである場合（Ｓ４６１０でＹＥＳ）、表示制御手段１０３は、表示手段１０１に対して、空調コスト表示領域１３０１をパワフルモードの空調コストとともに表示する（Ｓ４６１２）。
【０３８３】
Ｓ４６１０において、エアコン２００の動作モードがパワフルモードでない場合（Ｓ４６１０でＮＯ）、空調コストの中からパワフルモードでの所要時間情報と通常モードでの所要時間情報を取得し、パワフルモードでの時間が所定時間以上早いか否かを判定する（Ｓ４６１１）。所定時間としては、多くのユーザがパワフルモードを選択する意味があると感じる値が好適であり、例えば５分という値が採用される。ここで所定時間は、あらかじめシステムの構成者によって設定される。
【０３８４】
なお、Ｓ４６１１において、室内温度が設定温度に到達しており、空調コスト内に所要時間情報が含まれていない場合、Ｓ４６１１はＮＯとなる。
【０３８５】
Ｓ４６１１において、パワフルモードでの時間が通常モードでの時間より所定時間以上早い場合（Ｓ４６１１でＹＥＳ）、表示制御手段１０３は、表示手段１０１に対して、パワフルモード運転ボタン１１１２をパワフルモードの空調コストとともに表示する（Ｓ４６１３）。
【０３８６】
Ｓ４６１１において、パワフルモードでの時間が通常モードでの時間より所定時間以上早くない場合（Ｓ４６３１１でＮＯ）、表示制御手段１０３は、表示手段１０１に対して、パワフルモード運転ボタン１１１２をパワフルモードの空調コストとともに、通常モード運転ボタン１１１１とは異なる形態で表示する（Ｓ４６１４）。異なる形態としては、例えば、通常モード運転ボタン１１１１と異なり、かつ、多くのユーザがパワフルモードのメリットが小さいと認識できる色で表示することが採用される。この際、表示色としては、灰色や半透明などが好適である。この通常モード運転ボタン１１１１と異なる表示形態は、あらかじめシステムの構成者によって設定される。
【０３８７】
次に、表示制御手段１０３は、表示手段１０１に対して、運転中操作画面１３００を構成するために必要な残りの要素を表示する（Ｓ４６１５）。運転中操作画面１３００を構成するために必要な残りの要素とは、トップ画面切替ボタン１１０１、部屋名表示領域１１０２、運転状態表示領域１１０３、室内温度表示領域１１０４、設定温度表示領域１１０５、設定温度変更ボタン１１０６、メッセージ表示領域１１０７、停止ボタン１３０２、及び、背景となる固定の画像や文字列などである。
【０３８８】
以上により、図１３に代表される運転中操作画面１３００が表示手段１０１に表示される。
【０３８９】
なお、Ｓ４６０６において、維持単価情報を用いて判定を行う場合の所定金額は、所要料金情報で判定を行う場合と異なる値であってもよい。異なる値としては、「１円」など小さい値が好適である。なぜならば、室内温度が設定温度に到達している場合においては、室内温度を設定温度に到達させるために必要な時間が長いというエコモードのデメリットを考慮する必要がなくなるため、１円でも安いというメリットがあるならば、多くのユーザにとってエコモードを選択する意味があるためである。
【０３９０】
なお、Ｓ４６０６において、エコモードでの料金と通常モードでの料金を比較する際の所定金額として、あらかじめシステムの構成者が設定した全ユーザ共通の値を用いているが、この値はユーザごとに個別に設定されてもよい。例えば、１円でも安ければエコモードを選択する意味があると感じるユーザであれば「１円」、１０円以上安くなければエコモードを選択する意味がないと感じるユーザであれば「１０円」と設定することができる。エコモードでの料金と通常モードでの料金を比較する際の所定金額をユーザごとに設定できることによって、個々のユーザの感性に適した画面表示が可能になる。もちろん、初期値としては、多くのユーザがエコモードを選択する意味があると感じる値を設定しておけばよい。これにより、ユーザが個別に設定を行わない場合であっても、全ユーザ共通の値を用いた時と同様の効果を得られる。
【０３９１】
なお、Ｓ４６１１において、パワフルモードでの時間と通常モードでの時間を比較する際の所定時間として、あらかじめシステムの構成者が設定した全ユーザ共通の値を用いているが、この値はユーザごとに個別に設定されてもよい。例えば、１分でも早ければパワフルモードを選択する意味があると感じるユーザであれば「１分」、１０分以上早くなければパワフルモードを選択する意味がないと感じるユーザであれば「１０分」と設定することができる。パワフルモードでの時間と通常モードでの時間を比較する際の所定時間をユーザごとに設定できることによって、個々のユーザの感性に適した画面表示が可能になる。もちろん、初期値としては、多くのユーザがパワフルモードを選択する意味があると感じる値を設定しておけばよい。これにより、ユーザが個別に設定を行わない場合であっても、全ユーザ共通の値を用いた時と同様の効果を得られる。
【０３９２】
なお、Ｓ４６０９において、エコモード運転ボタン１１１０の表示色として、あらかじめシステムの構成者が設定した全ユーザ共通の色を用いているが、この色はユーザごとに個別に設定されてもよい。エコモードを選択しても電気料金が安くなるメリットが小さい場合に変化するエコモード運転ボタン１１１０の色をユーザごとに設定できることによって、個々のユーザの感性に適した画面表示が可能になる。もちろん、初期値としては、多くのユーザがエコモードのメリットが小さいと認識できる色を設定しておけばよい。多くのユーザがメリットの小ささを感じる色を設定しておけばよい。これにより、ユーザが個別に設定を行わない場合であっても、全ユーザ共通の色を用いた時と同様の効果を得られる。
【０３９３】
なお、Ｓ４６１４において、パワフルモード運転ボタン１１１２の表示色として、あらかじめシステムの構成者が設定した全ユーザ共通の色を用いているが、この色はユーザごとに個別に設定されてもよい。パワフルモードを選択しても室内温度が設定温度に到達するまでの時間が短くなるメリットが小さい場合に変化するパワフルモード運転ボタン１１１２の色をユーザごとに設定できることによって、個々のユーザの感性に適した画面表示が可能になる。もちろん、初期値としては、多くのユーザがパワフルモードのメリットが小さいと認識できる色を設定しておけばよい。これにより、ユーザが個別に設定を行わない場合であっても、全ユーザ共通の色を用いた時と同様の効果を得られる。
【０３９４】
なお、Ｓ４６０９において、エコモード運転ボタン１１１０を通常モード運転ボタン１１１１とは異なる色で表示しているが、ボタン自体を消去してもよい。この場合、図２７に代表される、エコモード運転ボタン１１１０が存在しない運転中操作画面１３００が表示手段１０１に表示される。エコモードを選択しても電気料金が安くなるメリットが小さい場合に、エコモード運転ボタン１１１０を消去することによって、ユーザがエコモードを選択することを防止することができる。
【０３９５】
なお、Ｓ４６１４において、パワフルモード運転ボタン１１１２を通常モード運転ボタン１１１１とは異なる色で表示しているが、ボタン自体を消去してもよい。この場合、図２７に代表される、パワフルモード運転ボタン１１１２が存在しない運転中操作画面１３００が表示手段１０１に表示される。パワフルモードを選択しても室内温度が設定温度に到達するまでの時間が短くなるメリットが小さい場合に、パワフルモード運転ボタン１１１２を消去することによって、ユーザがパワフルモードを選択することを防止することができる。
【０３９６】
図４７は、図４１のＳ４１０８で実行される、運転中操作画面１３００の表示処理の第２例を示すフローチャートである。第２例の運転中操作画面表示処理では、空調コストはエアコン２００において算出される。このフローチャートは、図３７に示すシーケンス図に対応している。
【０３９７】
Ｓ４４０１、Ｓ４４０２、及び、Ｓ４４１１からＳ４４１４までは、図４４において同じ番号が付与された構成要素と同一のものであるため説明を省略する。
【０３９８】
また、Ｓ４６０２からＳ４６１５までは、図４６において同じ番号が付与された構成要素と同一のものであるため説明を省略する。
【０３９９】
図４８は、図４１のＳ４１０８で実行される、運転中操作画面１３００の表示処理の第３例を示すフローチャートである。第３例の運転中操作画面表示処理では、空調コストはサーバ３００において算出される。このフローチャートは、図３８に示すシーケンス図に対応している。
【０４００】
Ｓ４５０１、Ｓ４５０２、及び、Ｓ４５１１からＳ４５１４までは、図４５において同じ番号が付与された構成要素と同一のものであるため説明を省略する。
【０４０１】
また、Ｓ４６０２からＳ４６１５までは、図４６において同じ番号が付与された構成要素と同一のものであるため説明を省略する。
【０４０２】
図４９は、図４１のＳ４１１２で実行される、制御コマンド送信処理の一例を示すフローチャートである。
【０４０３】
まず、機器制御手段１０６は停止中操作画面１１００にて受け付けた機器操作入力に応じて、エアコンを制御するための制御コマンドを生成する（Ｓ４９０１）。
【０４０４】
次に、機器制御手段１０６は、コントローラ１００がホームネットワークに接続中であるか否かを判定する（Ｓ４９０２）。ここで、ホームネットワークとは、ユーザの宅内におけるネットワークである。したがって、ユーザが外出先からコントローラ１００を操作していれば、Ｓ４９０２でＮＯと判定され、ユーザが宅内でコントローラ１００を操作していれば、Ｓ４９０２でＹＥＳと判定される。
【０４０５】
ホームネットワークに接続中であれば（Ｓ４９０２でＹＥＳ）、機器テーブル５００の「機器アクセス方法」の内容にしたがって、機器の状態取得方法を確認する（Ｓ４９０３）。
【０４０６】
Ｓ４９０３において、「機器アクセス方法」が「機器直接」であれば、機器制御手段１０６は、該当するエアコン２００に対して制御コマンドを送信する（Ｓ４９０４）。
【０４０７】
一方、Ｓ４９０３において、「機器アクセス方法」が「サーバ経由」であれば、機器制御手段１０６は、制御コマンドをサーバ３００に対して送信する（Ｓ４９０５）。
【０４０８】
また、Ｓ４９０２でコントローラ１００がホームネットワークに接続されていないと判断した場合にも（Ｓ４９０２でＮＯ）、Ｓ４９０５の処理を実施する。
【０４０９】
次に、機器制御手段１０６は、制御結果をエアコン２００、もしくは、サーバ３００から受信する（Ｓ４９０６）。
【０４１０】
図５０は、図４３のＳ４３０１、図４４のＳ４４１３、図４５のＳ４５１３で実行される、空調コスト算出処理の一例を示すフローチャートである。
【０４１１】
この処理は、コントローラ１００、エアコン２００、サーバ３００のそれぞれで実行される可能性がある。以下、コントローラ１００で実行される場合について説明する。
【０４１２】
まず、空調コスト算出手段１０８は、蓄積手段１０４から機器状態テーブル６００を読み出し、機器状態テーブル６００から空調コストを算出したいエアコン２００の「設定温度」と「室内温度」を取得する（Ｓ５００１）。
【０４１３】
次に、空調コスト算出手段１０８は、取得した設定温度と室内温度を比較し、設定温度と室内温度が異なるか否かを判定する（Ｓ５００２）。
【０４１４】
Ｓ５００２において、設定温度と室内温度が異なる場合（Ｓ５００２でＹＥＳ）、空調コスト算出手段１０８は、蓄積手段１０４から機器テーブル５００と空調コスト算出テーブル８００を読み出し、空調コストを算出したいエアコン２００の「型番」を機器テーブル５００から取得し、取得した型番に対応する「空調制御速度」と「空調制御単価」を空調コスト算出テーブル８００から取得する（Ｓ５００３）。例えば、図６の機器テーブル５００における機器ＩＤが「Ａ」のエアコン２００の「空調制御速度」と「空調制御単価」を取得する場合、機器ＩＤが「Ａ」のエアコン２００の型番は「ＡＣ−００１」であるため、図８の空調コスト算出テーブル８００において、型番が「ＡＣ−００１」の行を参照すればよい。例えば、型番が「ＡＣ−００１」のエアコンのエコモードでの空調制御速度は、室内温度を１度増減させるために５分必要であることを示し、空調制御単価は、室内温度を１度増減させるために２円必要であることを示している。
【０４１５】
次に、空調コスト算出手段１０８は、空調制御速度を用いて、現在の室内温度をエアコン２００に設定した設定温度に到達させるためにエアコン２００の各動作モードが要する時間を示す所要時間情報を算出する（Ｓ５００４）。例えば、図８の空調コスト算出テーブルにおいて、型番が「ＡＣ−００１」のエアコン２００を用いて、エコモードで室内温度を１６度から２０度に上昇させる場合の所要時間は、｜１６−２０｜×５＝２０として算出された２０分となる。
【０４１６】
次に、空調コスト算出手段１０８は、空調制御単価を用いて、現在の室内温度をエアコン２００に設定した設定温度に到達させるためにエアコン２００の各動作モードが消費する電力量に対応する電気料金を示す所要料金情報を算出する（Ｓ５００５）。例えば、図８の空調コスト算出テーブルにおいて、型番が「ＡＣ−００１」のエアコン２００のエコモードで室内温度を１６度から２０度に上昇させる場合の所要料金は、｜１６−２０｜×２＝８として算出された８円となる。
【０４１７】
次に、空調コスト算出手段１０８は、算出した所要時間情報と所要料金情報を空調コストとして返却する（Ｓ５００６）。この際、返却される空調コストは、エコモード、通常モード、パワフルモードの各動作モードにおいて、室内温度を設定温度に到達させるために必要な時間と電気料金である。
【０４１８】
Ｓ５００２において、設定温度と室内温度が同じである場合（Ｓ５００２でＮＯ）、空調コスト算出手段１０８は、蓄積手段１０４から機器テーブル５００と空調コスト算出テーブル８００を読み出し、空調コストを算出したいエアコン２００の「型番」を機器テーブル５００から取得し、取得した型番に対応する「空調維持単価」を取得する（Ｓ５００７）。例えば、図６の機器テーブル５００における機器ＩＤが「Ａ」のエアコン２００の「空調維持単価」を取得する場合、機器ＩＤが「Ａ」のエアコン２００の型番は「ＡＣ−００１」であるため、図８の空調コスト算出テーブル８００において、型番が「ＡＣ−００１」の行を参照すればよい。例えば、型番が「ＡＣ−００１」のエアコンのエコモードでの空調維持単価は、室内温度を１時間維持するために１０円必要であることを示している。
【０４１９】
次に、空調コスト算出手段１０８は、空調維持単価を用いて、室内温度を設定温度に維持するためにエアコン２００の各動作モードが消費する単位時間あたりの電力量に対応する電気料金を示す維持単価情報を算出する（Ｓ５００８）。図８の空調コスト算出テーブル８００においては、「空調維持単価」に室内温度を設定温度に維持するために必要な１時間あたりの電気料金が格納されているため、格納されている値をそのまま維持単価情報とする。「空調維持単価」として維持単価情報を算出するための式が設定されている場合は、式に従った計算を行い、計算結果を維持単価情報とする。
【０４２０】
次に、空調コスト算出手段１０８は、算出した維持単価情報を空調コストとして返却する（Ｓ５００９）。この際、返却される空調コストは、エコモード、通常モード、パワフルモードのそれぞれの動作モードにおいて、室内温度を設定温度に維持するために必要な１時間あたりの電気料金である。
【０４２１】
なお、本空調コスト算出処理が、コントローラ１００ではなくエアコン２００で実行される場合、コントローラ１００の蓄積手段１０４の代わりにエアコン２００の蓄積手段２０４を、コントローラ１００の空調コスト算出手段１０８の代わりにエアコン２００の空調コスト算出手段２０８を用いることで実現される。また、Ｓ５００３、Ｓ５００５において、蓄積手段２０４に格納されている空調コスト算出テーブル８００は行数が１であるため、機器テーブル５００から型番を取得する手順は不要である。
【０４２２】
なお、本空調コスト算出処理が、コントローラ１００ではなくサーバ３００で実行される場合、コントローラ１００の蓄積手段１０４の代わりにサーバ３００の蓄積手段３０４を、コントローラ１００の空調コスト算出手段１０８の代わりにサーバ３００の空調コスト算出手段３０８を用いることで実現される。
【０４２３】
なお、本発明における動作モードは、通常モードやエコモード、パワフルモードに限定されず、風量やコンプレッサーの稼働時間などの空調機のパラメータの組み合わせによって定義される他の動作モードであってもよい。この場合、パラメータの組み合わせは多数存在するため、室内温度を設定温度に到達させるまでに必要な時間や料金の選択肢を増やすことができ、ユーザは所望する時間や料金により近い動作モードを選択することができる。この際、動作モードの選択肢が多くなるため、動作モードを選択するＵＩとしてはボタンではなく、プルダウンリストやスライダー、ドラム形式のピッカーなどが好適である。
【０４２４】
また、空調機のパラメータの組み合わせによって定義される動作モードは、通常モードに比べて時間的、もしくは、金銭的メリットが少ない動作モードを含まないようにしてもよい。この場合、ユーザがメリットの少ない動作モードを選択してしまうことを防ぐことができる。
【０４２５】
また、空調機のパラメータの組み合わせによって定義される動作モードの中に時間的コストが類似した動作モードが複数存在する場合は、その中で金銭的コストが最も低い動作モードのみをユーザに提示してもよい。この場合、ユーザが無駄に高い金銭的コストの動作モードを選択してしまうことを防ぐことができる。
【０４２６】
また、空調機のパラメータの組み合わせによって定義される動作モードの中に金銭的コストが類似した動作モードが複数存在する場合は、時間的コストが最も低い動作モードのみをユーザに提示してもよい。この場合、ユーザが無駄に高い時間的コストの動作モードを選択してしまうことを防ぐことができる。
【０４２７】
また、空調機のパラメータの組み合わせによって定義される動作モードは多数存在するため、ユーザには所望する時間的コストや金銭的コストの条件を設定させるようにしてもよい。この場合、ユーザは多数存在する動作モードの一覧を参照することなく、空調機を所望する時間的コストや金銭的コストに合った動作モードに設定することができる。この際、ユーザが設定する内容は、例えば、「１０分以内に室内温度を設定温度にでき、かつ、一番安いもの」や「１０円以下で室内温度を設定温度にでき、かつ、一番早いもの」等である。所望の時間的コストや金銭的コストの条件を設定するＵＩとしては、プルダウンリストやスライダー、ドラム形式のピッカーなどが好適である。
【０４２８】
以上、本発明の空調制御システムについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【０４２９】
本開示によれば、スマートフォンなどの端末によって空調機を制御するシステムにおいて有用である。
【符号の説明】
【０４３０】
１００  コントローラ
１０１  表示手段
１０２  入力制御手段
１０３  表示制御手段
１０４  蓄積手段
１０５  機器管理手段
１０６  機器制御手段
１０７  通信制御手段
１０８  空調コスト算出手段
２００  エアコン
２０１  制御実行手段
２０２  状態管理手段
２０４  蓄積手段
２０５  室内温度取得手段
２０７  通信制御手段
２０８  空調コスト算出手段
３００  サーバ
３０１  機器管理手段
３０２  機器制御手段
３０４  蓄積手段
３０７  通信制御手段
３０８  空調コスト算出手段
５００  機器テーブル
６００  機器状態テーブル
８００  空調コスト算出テーブル
１０００  トップ画面
１００１  機器選択ボタン
１００２  部屋名表示領域
１００３  機器状態表示領域
１１００  停止中操作画面
１１０１  トップ画面切替ボタン
１１０２  部屋名表示領域
１１０３  運転状態表示領域
１１０４  室内温度表示領域
１１０５  設定温度表示領域
１１０６  設定温度変更ボタン
１１０７  メッセージ表示領域
１１１０  エコモード運転ボタン
１１１１  通常モード運転ボタン
１１１２  パワフルモード運転ボタン
１３００  運転中操作画面
１３０１  空調コスト表示領域
１３０２  停止ボタン 
【図１】
0006403272.tif 000002
【図２】
0006403272.tif 000003
【図３】
0006403272.tif 000004
【図４】
0006403272.tif 000005
【図５】
0006403272.tif 000006
【図６】
0006403272.tif 000007
【図７】
0006403272.tif 000008
【図８】
0006403272.tif 000009
【図９】
0006403272.tif 000010
【図１０】
0006403272.tif 000011
【図１１】
0006403272.tif 000012
【図１２】
0006403272.tif 000013
【図１３】
0006403272.tif 000014
【図１４】
0006403272.tif 000015
【図１５】
0006403272.tif 000016
【図１６】
0006403272.tif 000017
【図１７】
0006403272.tif 000018
【図１８】
0006403272.tif 000019
【図１９】
0006403272.tif 000020
【図２０】
0006403272.tif 000021
【図２１】
0006403272.tif 000022
【図２２】
0006403272.tif 000023
【図２３】
0006403272.tif 000024
【図２４】
0006403272.tif 000025
【図２５】
0006403272.tif 000026
【図２６】
0006403272.tif 000027
【図２７】
0006403272.tif 000028
【図２８】
0006403272.tif 000029
【図２９】
0006403272.tif 000030
【図３０】
0006403272.tif 000031
【図３１】
0006403272.tif 000032
【図３２】
0006403272.tif 000033
【図３３】
0006403272.tif 000034
【図３４】
0006403272.tif 000035
【図３５】
0006403272.tif 000036
【図３６】
0006403272.tif 000037
【図３７】
0006403272.tif 000038
【図３８】
0006403272.tif 000039
【図３９】
0006403272.tif 000040
【図４０】
0006403272.tif 000041
【図４１】
0006403272.tif 000042
【図４２】
0006403272.tif 000043
【図４３】
0006403272.tif 000044
【図４４】
0006403272.tif 000045
【図４５】
0006403272.tif 000046
【図４６】
0006403272.tif 000047
【図４７】
0006403272.tif 000048
【図４８】
0006403272.tif 000049
【図４９】
0006403272.tif 000050
【図５０】
0006403272.tif 000051